(57)【特許請求の範囲】
【請求項１】
基材に所定の面積を有するユニットが規則的に一定ピッチで複数配置され、
前記ユニットは、第１の方向に沿って対向するように配置された第１の画線領域と第２の画線領域が所定の間隔及び所定のピッチによって配置され、
前記第１の画線領域と前記第２の画線領域が存在しない領域で、かつ、前記第１の画線領域及び前記第２の画線領域と隣接する位置に第３の画線領域が配置され、
前記第１の画線領域及び前記第２の画線領域はオンオフの関係にあり、かつ、面積が同一であり、
前記第１の画線領域により第１の不可視画像のポジ画像又はネガ画像のいずれか一方が形成され、前記第２の画線領域により前記第１の不可視画像のネガ画像又はポジ画像の他方が形成され、
前記第１の画線領域は、可視光の波長領域において等色として視認される２種類の色材によって形成され、前記２種類のうち、赤外光の波長領域で吸収特性を有する第１の色材により第１の画線が形成され、赤外光の波長領域で透過特性を有する第２の色材により第２の画線が形成され、
前記第２の画線領域は、前記第１の色材により第３の画線が形成され、前記第２の色材により第４の画線が形成され、
前記第１の画線領域における前記第１の画線及び前記第２の画線と、前記第２の画線領域における前記第３の画線及び前記第４の画線の配置により、第２の不可視画像が形成され、
前記第３の画線領域に形成された第５の画線により可視画像が形成されたことを特徴とする偽造防止用印刷物。
【請求項２】
前記第３の画線領域は、前記第１の画線領域及び前記第２の画線領域と面積が同一か、又は大きいことを特徴とする請求項１記載の偽造防止用印刷物。
【請求項３】
複数配置された前記ユニットにおいて、上下の位置関係により隣接して配置された２つの前記ユニット内における前記第１の画線領域と前記第２の画線領域のオフとなる画線領域が隣接して配置された場合、オフとして配置された前記第１の画線領域及び前記第２の画線領域に挟まれた前記第３の画線領域内に前記第１の画線領域及び前記第２の画線領域の半分の画線面積で、かつ、可視光の波長領域において前記第１の画線領域及び前記第２の画線領域と等色の第４の画線領域が形成され、
上段、中段、下段の位置関係により隣接して配置された３つの前記ユニットにおいて、前記上段に配置された前記ユニットは第２の画線領域がオンとして配置され、前記中段に配置された前記ユニットは前記第１の画線領域及び前記第２の画線領域の双方がオフとして配置され、前記下段に配置された前記画線ユニットは前記第１の画線領域がオンとして配置された場合、前記中段の前記第１の画線領域及び前記第２の画線領域に挟まれた前記第３の画線領域内に前記第１の画線領域及び前記第２の画線領域の半分の画線面積で、かつ、可視光の波長領域において前記第１の画線領域及び前記第２の画線領域と等色の前記第４の画線領域が形成され、
前記上段、前記中段、前記下段の位置関係により隣接して配置された３つの前記ユニットにおいて、前記上段に配置された前記ユニットは第２の画線領域がオンとして配置され、前記中段に配置された前記ユニットは前記第１の画線領域及び前記第２の画線領域の双方がオフとして配置され、前記下段に配置された前記画線ユニットは前記第２の画線領域がオンとして配置された場合、前記中段の前記第１の画線領域及び前記第２の画線領域に挟まれた前記第３の画線領域と、前記中段の前記ユニットにおける前記第２の画線領域及び前記下段の前記ユニットにおける前記第１の画線領域に挟まれた前記第３の画線領域内に前記第１の画線領域及び前記第２の画線領域の半分の画線面積で、かつ、可視光の波長領域において前記第１の画線領域及び前記第２の画線領域と等色の前記第４の画線領域が形成され、
前記第４の画線領域は、前記第１の色材により第６の画線が形成され、前記第２の色材により第７の画線が形成されたことを特徴とする請求項１又は２記載の偽造防止用印刷物。
【請求項４】
複数配置された前記ユニットにおいて、上下の位置関係により隣接して配置された２つの前記ユニット内における前記第１の画線領域と前記第２の画線領域のオフとなる画線領域が隣接して配置された場合、オフとして配置された前記第１の画線領域及び／又は前記第２の画線領域と隣接する位置で、かつ、前記第３の画線領域と隣接する位置に、前記第１の画線領域及び前記第２の画線領域の半分の画線面積で、かつ、可視光の波長領域において前記第１の画線領域及び前記第２の画線領域と等色の第４の画線領域が形成され、
前記第４の画線領域は、前記第１の色材により第６の画線が形成され、前記第２の色材により第７の画線が形成されたことを特徴とする請求項１又は２記載の偽造防止用印刷物。
【請求項５】
基材に所定の面積を有するユニットが規則的に一定ピッチで複数配置され、
前記ユニットは、第１の方向に沿って対向するように配置された第１の画線領域及び第２の画線領域と、前記第１の方向と直交する第２の方向に沿って対向するように配置された第５の画線領域及び第６の画線領域が所定の間隔及び所定のピッチによって配置され、
前記第１の画線領域、前記第２の画線領域、前記第５の画線領域及び前記第６の画線領域が存在しない領域で、かつ、前記第１の画線領域、前記第２の画線領域、前記第５の画線領域及び前記第６の画線領域に囲まれる位置に第３の画線領域が配置され、
前記第１の画線領域及び前記第２の画線領域はオンオフの関係にあり、かつ、面積が同一であり、
前記第１の画線領域により第１の不可視画像のポジ画像又はネガ画像のいずれか一方が形成され、前記第２の画線領域により前記第１の不可視画像のネガ画像又はポジ画像の他方が形成され、
前記第５の画線領域及び前記第６の画線領域はオンオフの関係にあり、かつ、面積が同一であり、
前記第５の画線領域により第３の不可視画像のポジ画像又はネガ画像のいずれか一方が形成され、前記第６の画線領域により前記第３の不可視画像のネガ画像又はポジ画像の他方が形成され、
前記第１の画線領域は、可視光の波長領域において等色として視認される２種類の色材によって形成され、前記２種類の色材のうち、赤外光の波長領域で吸収特性を有する第１の色材により第１の画線が形成され、赤外光の波長領域で透過特性を有する第２の色材により第２の画線が形成され、
前記第２の画線領域は、前記第１の色材により第３の画線が形成され、前記第２の色材により第４の画線が形成され、
前記第５の画線領域は、前記第１の色材により第８の画線が形成され、前記第２の色材により第９の画線が形成され、
前記第６の画線領域は、前記第１の色材により第１０の画線が形成され、前記第２の色材により第１１の画線が形成され、
前記第１の画線、前記第２の画線、前記第３の画線、前記第４の画線、前記第８の画線、前記第９の画線、前記第１０の画線及び前記第１１の画線の配置により、第２の不可視画像が形成され、
前記第３の画線領域は、赤外光の波長領域で透過特性を有する第３の色材により形成された第５の画線により可視画像が形成されたことを特徴とする偽造防止用印刷物。
【請求項６】
複数配置された前記ユニットにおいて、上下の位置関係により隣接して配置された２つの前記ユニット内における前記第１の画線領域と前記第２の画線領域のオフとなる画線領域が隣接して配置された場合、オフとして配置された前記第１の画線領域及び前記第２の画線領域に挟まれた前記第３の画線領域内に、前記第１の画線領域及び前記第２の画線領域の半分の画線面積で、かつ、可視光の波長領域において前記第１の画線、第２の画線、第３の画線及び前記第４の画線と等色の第４の画線領域が形成され、
前記複数配置された前記ユニットにおいて、左右の位置関係により隣接して配置された２つの前記ユニット内における前記第５の画線領域と前記第６の画線領域のオフとなる画線領域が隣接して配置された場合、オフとして配置された前記第５の画線領域及び前記第６の画線領域に挟まれた前記第３の画線領域内に、前記第５の画線領域及び前記第６の画線領域の半分の画線面積で、かつ、可視光の波長領域において前記第８の画線、前記第９の画線、前記第１０の画線及び前記第１１の画線と等色の第７の画線領域が形成され、
前記第４の画線領域は、前記第１の色材及び前記第２の色材により第６の画線及び第７の画線が形成され、
前記第７の画線領域は、前記第１の色材及び前記第２の色材により第１２の画線及び第１３の画線が形成されたことを特徴とする請求項５記載の偽造防止用印刷物。
【請求項７】
前記第５の画線は、画線の大小、画線の濃淡及び画線の疎密から選択される少なくとも一つの方法によって連続階調から成る可視画像が形成されたことを特徴とする請求項１乃至６のいずれか一項に記載の偽造防止用印刷物。
【請求項８】
前記第１の色材は、赤外線吸収性色素を含むブラックインキであり、前記第２の色材は、赤外線吸収色素を含まないブラックインキか、又は赤外線吸収性色素を含まないシアン（Ｃ）マゼンタ（Ｍ）及びイエロー（Ｙ）インキを混合した減法混色によるブラックによって形成されたことを特徴とする請求項１乃至７のいずれか一項に記載の偽造防止用印刷物。
【請求項９】
前記ユニットにおける一辺の長さが１ｍｍ以下であることを特徴とする請求項１乃至８のいずれかい一項に記載の偽造防止用印刷物。
【請求項１０】
基材に、第１の方向に沿って対向するように配置された第１の画線及び／又は第２の画線と第３の画線及び／又は第４の画線を所定の間隔及び所定のピッチによって配置し、前記第１の画線及び／又は前記第２の画線と前記第３の画線及び／又は前記第４の画線が存在しない位置に第５の画線が配置されたユニット所定の領域内に規則的に一定ピッチで配置することで可視画像、第１の不可視画像及び第２の不可視画像を形成する偽造防止用印刷物の作成方法であって、
各々の前記ユニット内における前記第１の画線及び／又は前記第２の画線と前記第３の画線及び／又は前記第４の画線のいずれか一方の画線を配置し、他方を配置しないオンオフの組合せによりいずれか一方の画線を選択的に形成することで前記第１の不可視画像を形成する工程と、
前記第１の画線及び前記第３の画線を赤外光の波長域で吸収特性を有する第１の色材で形成し、前記第２の画線及び前記第４の画線を赤外光の波長域で透過特性を有する第２の色材で形成することで前記第２の不可視画像形成する工程と、
前記第５の画線を選択的に形成することで可視画像を形成することを特徴とする偽造防止用印刷物の作成方法。
【請求項１１】
複数配置された前記ユニットにおいて、上下の位置関係により隣接して配置された２つの前記ユニット内における前記第１の画線及び／又は前記第２の画線のオンとして配置される画線と、前記第３の画線及び／又は前記第４の画線のオンとして配置される画線が隣接して配置された場合、隣接する前記ユニット内に形成された前記第１の画線及び／又は前記第２の画線か、又は前記第３の画線及び／又は前記第４の画線のいずれか一方の画線を削除する工程と、
前記複数配置された前記ユニットにおいて、上下の位置関係により隣接して配置された２つの前記ユニット内における前記第１の画線及び／又は前記第２の画線のオフとして配置される画線と、前記第３の画線及び／又は前記第４の画線のオフとして配置される画線が隣接して配置された場合、各々の前記ユニット内におけるオフとして配置された前記第１の画線及び／又は前記第２の画線と前記第３の画線及び／又は前記第４の画線に挟まれた前記第３の画線領域内に前記第１の画線及び／又は前記第２の画線を合計した画線面積か、又は前記第３の画線及び／又は前記第４の画線を合計した画線面積の半分の画線面積により、第６の画線及び／又は第７の画線を、前記第６の画線は前記第１の色材で、前記第７の画線は前記第２の色材により形成する工程か、
上段、中段、下段の位置関係により隣接して配置された３つの前記ユニットにおいて、前記上段に配置された前記ユニットは前記第３の画線及び／又は前記第４の画線がオンとして配置され、前記中段に配置された前記ユニットは前記第１の画線、前記第２の画線、前記第３の画線及び前記第４の画線の全てがオフとして配置され、前記下段に配置された前記画線ユニットは前記第１の画線及び／又は前記第２の画線がオンとして配置された場合、前記中段の前記ユニットにおける前記第１の画線及び／又は前記第２の画線と、前記第３の画線及び／又は前記第４の画線に挟まれた前記第３の画線領域内に前記第１の画線及び／又は前記第２の画線を合計した画線面積か、又は前記第３の画線及び／又は前記第４の画線を合計した画線面積の半分の画線面積により、第６の画線及び／又は第７の画線を、前記第６の画線は前記第１の色材で、前記第７の画線は前記第２の色材により形成する工程か、
前記上段、前記中段、前記下段の位置関係により隣接して配置された３つの前記ユニットにおいて、前記上段に配置された前記ユニットは前記第３の画線及び／又は前記第４の画線がオンとして配置され、前記中段に配置された前記ユニットは前記第１の画線、前記第２の画線、前記第３の画線及び前記第４の画線の全てがオフとして配置され、前記下段に配置された前記画線ユニットは前記第３の画線及び／又は前記第４の画線がオンとして配置された場合、前記中段の前記ユニットにおける前記第１の画線及び／又は前記第２の画線と、前記第３の画線及び／又は前記第４の画線に挟まれた前記第３の画線領域と、前記中段の前記ユニットにおける前記第３の画線及び／又は前記第４の画線と前記下段の前記ユニットにおける前記第１の画線及び／又は前記第２の画線に挟まれた前記第３の画線領域内に前記第１の画線及び／又は前記第２の画線を合計した画線面積か、又は前記第３の画線及び／又は前記第４の画線を合計した画線面積の半分の画線面積により、第６の画線及び／又は第７の画線を、前記第６の画線は前記第１の色材で、前記第７の画線は前記第２の色材により形成する工程のいずれか１つ又は複数を含むことを特徴とする請求項１０記載の偽造防止用印刷物の作成方法。
【請求項１２】
前記第６の画線及び／又は前記第７の画線を、前記第１の画線及び／又は前記第２の画線に隣接する位置か、前記第３の画線及び／又は前記第４の画線に隣接する位置か、前記第５の画線が形成される位置のいずれかの位置又は複数の位置に形成することを特徴とする請求項１０記載の偽造防止用印刷物の作成方法。
【請求項１３】
基材に、第１の方向に沿って対向するように配置された第１の画線及び／又は第２の画線と第３の画線及び／又は第４の画線を所定の間隔及び所定のピッチによって配置し、前記第１の方向と直交する第２の方向に沿って対向するように配置された第８の画線及び／又は第９の画線と第１０の画線及び／又は第１１の画線を所定の間隔及び所定のピッチによって配置し、前記第１の画線及び／又は前記第２の画線、前記第３の画線及び／又は前記第４の画線、前記第８の画線及び／又は前記第９の画線、前記第１０の画線及び／又は前記第１１の画線が存在しない位置に第５の画線が配置されたユニットを所定の領域内に規則的に一定ピッチで配置することで可視画像、第１の不可視画像、第２の不可視画像及び第３の不可視画像を形成する偽造防止用印刷物の作成方法であって
各々の前記ユニット内における前記第１の画線及び／又は前記第２の画線と前記第３の画線及び／又は前記第４の画線いずれか一方の画線を配置し、他方を配置しないオンオフの組合せによりいずれか一方の画線を選択的に形成することで前記第１の不可視画像を形成する工程と、
各々の前記ユニット内における前記第８の画線及び／又は前記第９の画線と前記第１０の画線及び／又は前記第１１の画線いずれか一方の画線を配置し、他方を配置しないオンオフの組合せによりいずれか一方の画線を選択的に形成することで前記第３の不可視画像を形成する工程と、
前記第１の画線、前記第３の画線、前記第８の画線及び前記第１０の画線を赤外光の波長領域で吸収特性を有する第１の色材で形成し、前記第２の画線、前記第４の画線、前記第９の画線及び前記第１１の画線を赤外光の波長領域で透過特性を有する第２の色材により形成することで前記第２の不可視画像形成する工程と、
前記第５の画線を選択的に形成することで可視画像を形成することを特徴とする偽造防止用印刷物の作成方法。
【請求項１４】
複数配置された前記ユニットにおいて、上下の位置関係により隣接して配置された２つの前記ユニット内における前記第１の画線及び／又は前記第２の画線のオンとして配置される画線と、前記第３の画線及び／又は前記第４の画線のオンとして配置される画線が隣接して配置された場合に、隣接する前記ユニット内に形成された前記第１の画線及び／又は前記第２の画線か、又は前記第３の画線及び／又は前記第４の画線のいずれか一方の画線を削除する工程と、
複数配置された前記ユニットにおいて、左右の位置関係により隣接して配置された２つの前記ユニット内における前記第８の画線及び／又は前記第９の画線のオンとして配置される画線と、前記第１０の画線及び／又は前記第１１の画線のオンとして配置される画線が隣接して配置された場合に、隣接する前記ユニット内に形成されている前記第８の画線及び／又は前記第９の画線か、又は前記第１０の画線及び／又は前記第１１の画線のいずれか一方の画線を削除する工程と、
複数配置された前記ユニットにおいて、上下の位置関係により隣接して配置された２つの前記ユニット内における前記第１の画線及び／又は前記第２の画線のオフとして配置される画線と、前記第３の画線及び／又は前記第４の画線のオフとして配置される画線が隣接して配置された場合に、前記第１の画線及び前記第２の画線を合計した画線面積か、又は前記第３の画線及び前記第４の画線を合計した画線面積の半分の画線面積を有する第６の画線及び／又は第７の画線を、前記第６の画線は前記第１の色材で形成し、前記第７の画線は前記第２の色材によって形成する工程と、
複数配置された前記ユニットにおいて、左右の位置関係により隣接して配置された２つの前記ユニット内における前記第８の画線及び／又は前記第９の画線のオフとして配置される画線と、前記第１０の画線及び／又は前記第１１の画線のオフとして配置される画線が隣接して配置された場合に、前記第８の画線及び前記第９の画線を合計した画線面積か、又は前記第１０の画線及び前記第１１の画線を合計した画線面積の半分の画線面積を有する第６の画線及び／又は第７の画線を、前記第６の画線は前記第１の色材で形成し、前記第７の画線は前記第２の色材によって形成する工程とを含むことを特徴とする請求項１３記載の偽造防止用印刷物の作成方法。
【請求項１５】
前記請求項１乃至４のいずれか一項に記載の偽造防止用印刷物の作成システムであって、
前記可視画像を表現するための画像又はテキストを入力する可視情報入力手段と、
前記第１の不可視画像を表現するための第１の画像又は第１のテキストを入力する第１の不可視情報入力手段と、
前記第２の不可視画像を表現するための第２の画像又は第２のテキストを入力する第２の不可視情報入力手段と、
前記可視情報入力手段で得られた画像又はテキストを前記第５の画線に変換する可視画像構成手段と、
前記第１の画像又は前記第１のテキストを用いて前記第１の画線及び／又は前記第２の画線と前記第３の画線及び／又は前記第４の画線のいずれか一方を構成するための第１の不可視画像構成手段と、
前記第２の画像又は前記第２のテキストを用いて前記第１の画線及び前記第３の画線と前記第２の画線及び前記第４の画線を構成するための第２の不可視画像構成手段と、
前記構成された前記第１乃至５の画線を合成する画像合成手段と、
前記第１の画線と、前記第３の画線とを赤外線吸収色素を含む色材で形成し、前記第２の画線と、前記第４の画線と、前記第５の画線とを赤外線吸収色素を含まない色材で形成する印刷手段から構成されたことを特徴とする偽造防止用印刷物の作成システム。
【請求項１６】
前記第１の画線及び／又は前記第２の画線と、前記第３の画線及び／又は前記第４の画線における半分又は略半分の画線面積率の、前記第６の画線及び／又は前記第７の画線を構成し、
前記第６の画線が赤外線吸収色素を含む色材で印刷され、前記第７の画線が赤外線吸収色素を含まない色材で印刷される手段を更に備えることを特徴とする請求項１５記載の偽造防止用印刷物の作成システム。
【請求項１７】
前記請求項５乃至９のいずれか一項に記載の偽造防止用印刷物の作成システムであって、
前記可視画像を表現するための画像又はテキストを入力する可視情報入力手段と、
前記第１の不可視画像を表現するための第１の画像又は第１のテキストを入力する第１の不可視情報入力手段と、
前記第２の不可視画像を表現するための第２の画像又は第２のテキストを入力する第２の不可視情報入力手段と、
前記第３の不可視画像を表現するための第３の画像又は第３のテキストを入力する第３の不可視情報入力手段と、
前記可視情報入力手段で得られた画像又はテキストを前記第５の画線に変換する可視画像構成手段と、
前記第１の画像又は前記第１のテキストを用いて前記第１の画線及び／又は前記第２の画線と前記第３の画線及び／又は前記第４の画線のいずれか一方を構成するための第１の不可視画像構成手段と、
前記第２の画像又は前記第２のテキストを用いて前記第１の画線及び前記第３の画線と前記第２の画線及び前記第４の画線を構成するための第２の不可視画像構成手段と、
前記第３の画像又は前記第３のテキストを用いて前記第８の画線及び／又は前記第９の画線と前記第１０の画線及び／又は前記第１１の画線のいずれか一方を構成するための第３の不可視画像構成手段と、
前記構成された前記第１乃至１１の画線を合成する画像合成手段と、
前記第１の画線、前記第３の画線、前記第８の画線及び前記第１０の画線を赤外線吸収色素を含む色材で形成し、前記第２の画線、前記第４の画線、前記第５の画線、前記第９の画線及び前記第１１の画線を赤外線吸収色素を含まない色材で形成する印刷手段から構成されたことを特徴とする偽造防止用印刷物の作成システム。
【請求項１８】
前記第１の画線及び／又は前記第２の画線と、前記第３の画線及び／又は前記第４の画線における半分又は略半分の画線面積率の、前記第６の画線及び／又は前記第７の画線を構成し、
前記第８の画線及び／又は前記第９の画線と、前記第１０の画線及び／又は前記第１１の画線における半分又は略半分の画線面積率の、前記第１２の画線及び／又は前記第１３の画線を構成し、
前記第６の画線及び前記第１２の画線が赤外線吸収色素を含む色材で印刷され、前記第７の画線及び前記第１３の画線が赤外線吸収色素を含まない色材で印刷される手段を更に備えることを特徴とする請求項１７記載の偽造防止用印刷物の作成システム。
【発明の詳細な説明】
【技術分野】
【０００１】
本発明は、銀行券、株券、債券等の有価証券、各種証明書及び重要書類等の偽造防止又は複製防止が必要とされる印刷物に関するものである。
【背景技術】
【０００２】
一般的に証明書類の貴重印刷物では、偽造防止効果を与えるために様々な技術が適用されているが、近年、カラー複写機の高画質化及びカラー製版技術のコンピュータ化に伴い、証明書類の偽造技術が多様化する傾向にある。これに伴って、証明書類の偽造防止策も高度化することによって対応してきた。しかし、その一方で、偽造防止策に費やす製造コストが高く、偽造防止効果を確認する環境を得るために、特殊な機械器具から成る専用設備を導入する等、真偽判定において高コストとなる場合があった。
【０００３】
低コストで真偽判定を可能にする有用な方法に、印刷物上に判別具を重ねて真偽判定を行う技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）や、レンチキュラーレンズ等が挙げられる。この判別具を用いて不可視画像を発現させる技術は、主に二種類の方法があり、点位相変調（Dot phase modulation）と線位相変調（Line phase modulation）とが存在する。
【０００４】
このような万線フィルタから成る判別具を重ね合わせることにより潜像画像が発現する印刷物とその真偽判別方法としては、万線（又は網点）画線で印刷した背景画像部と、背景画像部と異なる位相の万線（又は網点）画線で印刷した潜像画像部とを有する印刷物が存在する。当該印刷物の背景画像部と潜像画像部は、区分けして視認することが一見困難であるが、万線フィルタを印刷物に所定の位置で重ね合わせた場合には、背景画像部と潜像画像部を区分けして視認することができる方法が知られている。
【０００５】
点位相変調（Dot phase modulation）の一例としては、第１の方向と第２の方向に位相変調されたパターンが形成された印刷物と、当該印刷物の第１の方向と万線状フィルタの万線状パターンの方向とを一致するように万線状フィルタを重ね合わせることにより形成される第１の多階調画像と、万線状フィルタの重ね合わせる角度を印刷物の第２の方向に一致するように変えると第２の多階調画像が形成された印刷物及び画像形成法がある（例えば、特許文献１参照）。
【０００６】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ、少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、コピーすることによりスクリーン線数の大きさ又は網点角度で再現されるドットが潰れ、ドットの濃度が変化することにより不可視画像と異なる画像が発現する印刷物がある（例えば、特許文献２参照）。
【０００７】
また、海外の点位相変調（Dot phase modulation）の一例としては、アストロン・デザイン社（オランダ）のイソグラム（Isogram）がある（例えば、非特許文献１３４０頁参照）。これは、一見して均一な濃度を有する平たんな模様の中に、拡大すると微細な網点の位相によって不可視画像が施され、印刷物上に専用のシートを重ねるとネガポジ状のどちらかに可視画像化された不可視画像が現れる。しかし、これは、均一な濃度を有する平たんな模様故に、鮮明に画像を発現させることができない。
【０００８】
また、本願出願人等は、点位相変調（Dot phase modulation）を用いた印刷物に関する特許出願を行っている。これは、基材上に複数の等色の画素が規則的に配列されて二つの潜像模様が形成された潜像印刷物であって、複数の画素において、第１の方向に位相をずらして配列された第１の領域による第１の潜像模様（不可視画像）と、機能性を有するインキにより印刷された第２の領域による第２の潜像模様（不可視画像）とを有するものである（例えば、特許文献３参照）。
【０００９】
線位相変調（Line phase modulation）の一例としては、基材上に、線部と非線部を有し、同一ピッチ及び幅から成る万線パターンに対し、万線位相を１／２ピッチずらして形成された潜像部を備えている複数種の潜像万線パターンが、それぞれ異なる角度で重ね合わせて印刷された潜像を有する印刷物であって、複数種の潜像万線パターンがそれぞれ色違いであることを特徴とする印刷物と、印刷物の万線パターンと同一ピッチのフィルムを複数種の不可視画像に重ね合わせることにより潜像部を可視画像化されたものがある（例えば、特許文献４参照）。
【００１０】
また、海外の線位相変調（Line phase modulation）を用いた印刷物には、ユラ社（ハンガリー）のＨＩＴ（Hidden Image Technology）がある（非特許文献１３４１頁参照）。一見して均一な濃度を有する平たんな模様の中に、微細な万線の位相によって不可視画像が施され、印刷物上に専用のシートを重ねると、ネガポジ状のどちらかに可視画像化された不可視画像が現れる。なお、この方法では、通常視でも不可視画像が確認できてしまうおそれがあるため、カムフラージュ模様として万線の一部の画線幅を変化させて可視画像を設けている。また、白抜き画線によって可視画像を設けても良い。ただし、このカムフラージュ模様は、専用のシートを重ねて不可視画像を可視画像化した際、カモフラージュ模様も可視画像として同時に発現しているので、不可視画像の発現時の視認性を阻害するという問題がある。
【００１１】
また、一般的に、点位相変調（Dot phase modulation）又は線位相変調（Line phase modulation）により形成された模様は、平たんな形状となっている。
【００１２】
また、画像形成シート上に、単位ブロック内をｍ列ｎ行に等形上分割した各々最小単位ブロックｂ１、ｂ２、ｂ３、ｂ４、・・・を、それぞれ１単位画素ｇ１、ｇ２、ｇ３、ｇ４、・・・とする各々潜像画像Ｇ１、Ｇ２、Ｇ３、Ｇ４、・・・が形成され、その単位画素ｇ１、ｇ２、ｇ３、ｇ４、・・・は、万線本数１本分以上の万線により構成される万線パターンであって、ピッチｐ１、ｐ２、ｐ３、ｐ４、・・・の各々の万線ピッチｐと、角度θ１、θ２、θ３、θ４・・・の各々の万線角度θの万線により構成される、異なる各々の万線パターンのうち、いずれかの万線パターンにより構成された偽造防止用画像形成体であり、１単位画素ｇ１、ｇ２、ｇ３、ｇ４、・・・を構成する万線パターンと、同一の万線ピッチｐ及び万線角度θの万線により構成されるそれぞれ異なる万線パターンを、透明シートに形成した顕像化用の万線シートを重ね合わせることで、潜像画像Ｇ１、Ｇ２、Ｇ３、Ｇ４、・・・を顕像化するようにした偽造防止用画像形成体が提案されている（例えば、特許文献５参照）。
【００１３】
この特許文献５による偽造防止用画像形成体は、各々の単位画素において万線パターンのピッチ及び角度を異ならせることにより、複数の潜像画像を顕像化するものではあるが、可視画像としては、一様な背景模様としか表現できず、更には、潜像画像を顕像化するために、その潜像画像を構成する単位画素の万線パターンに合ったピッチ及び角度を要する透明シートが必要となり、複数の判別具を用意しなければならないという問題があった。
【００１４】
また、本願発明者らは、第１の方向に沿って、中心を境に対向するように配置された第１の画線及び第２の画線と、第１の方向と直交する第２の方向に沿って、中心を境に対向するように配置された第３の画線及び第４の画線とを有する画線要素が、一定のピッチで複数マトリクス状に配置されており、各々の画線要素における第１の画線と第２の画線、第３の画線と第４の画線は、ネガポジの関係にあり、第１の画線又は第２の画線により第１の不可視画像が形成され、第３の画線又は第４の画線により第２の不可視画像が形成されることを特徴とする偽造防止用印刷物を既に出願している（例えば、特許文献６参照）。
【００１５】
この特許文献６による偽造防止用印刷物は、通常の観察において可視画像を設けることが可能で豊かなデザイン性と、簡易な判別具における潜像の高い視認性有し、低コストで製造できるという優れた効果があるものの、高解像度なハードコピーにおける偽造防止策としては不十分であった。
【００１６】
また、本願発明者らは、高解像度なハードコピーにおける偽造防止策として、１つの第１の領域と、第１の領域に隣接する１つの第２の領域とが複数組配置され、各々の第２の領域の周囲が、複数の第１の領域に囲まれ、第１の領域は、第２の領域より面積が大きく、第２の領域は、赤外線吸収色素を含むブラックインキを用いて構成された第２ａの領域と赤外線吸収色素を含まないインキを用いて構成された黒色系である第２ｂの領域とを有し、各々の第２の領域における第２ａの領域と第２ｂの領域との比率に応じて、複数の第２の領域における第２ａの領域により階調画像が形成されていることを特徴とする網点印刷物を既に出願している（例えば、特許文献７参照）。
【００１７】
さらに、本願発明者らは、特定の波長において吸収又は発光する第１の色材で印刷した第１の線画と、特定の波長において吸収又は発光せず、可視光下では、第１の色材と同色に見える第２の色材で印刷した第２の線画で構成され、第１の線画と第２の線画はそれぞれ画線幅の違う背景領域と潜像領域で構成され、第２の線画の潜像領域は第１の線画の潜像領域と形状及び大きさが等しく、第１の線画と第２の線画が重なり、背景領域と潜像領域の濃度が等しいことを特徴とする偽造防止印刷物を既に出願している（例えば、特許文献８参照）。
【００１８】
この特許文献７及び８による印刷物は、高解像度なハードコピーにおける偽造防止策として優れた効果があるものの、特定の波長において吸収又は発光する色材として、例えば、赤外線吸収色素の有無を判別するという特殊性から、判別具が光学系機械部品又は特定の電磁波を受信する機械部品で構成した特殊な装置となるため、特許文献１乃至６にあるような簡易な判別ができないという問題がある。
【先行技術文献】
【特許文献】
【００１９】
【特許文献１】特許第４１３２１２２号公報
【特許文献２】特許第４０１３４５０号公報
【特許文献３】特開２００８−２０７３３５号公報
【特許文献４】特開２００４−１７４９９７号公報
【特許文献５】特開２００７−０１５１２０号公報
【特許文献６】特許第４６３５１６０号公報
【特許文献７】特許第３５４４５３６号公報
【特許文献８】特願２００７−１１３０２７号公報
【非特許文献】
【００２０】
【非特許文献１】Optical Security and Counterfeit Deterrence Techniques IV Vol.4677 (by SPIE-The International Society for Optical Engineering )
【発明の開示】
【発明が解決しようとする課題】
【００２１】
偽造防止が必要とされる印刷物は、複写、複製及び改ざん等のあらゆる場面において、偽造に抵抗し得る機能性が求められるが、限られた印刷面積において様々な真偽判別手段にて真偽判別を可能にする偽造防止用印刷画線はなく、用途・目的に応じた偽造防止用印刷画線の印刷領域を、限られた印刷面積の中で用途・目的別に複数備える必要があった。また、用途・目的に応じた偽造防止用印刷画線の印刷領域を複数備えることにより、高コストとなる場合があった。
【００２２】
上述した特許文献１乃至６及び非特許文献の技術では、簡易な判別具における潜像の高い視認性を有し、低コストで製造できるという優れた効果があるものの、高解像度なハードコピーにおける偽造防止策としては不十分であった。同じく、低コストで実現できる技術として、特許文献７及び８による印刷物では、高解像度なハードコピーにおける偽造防止策として優れた効果があるものの、特定の波長において吸収又は発光する色材である、例えば、赤外線吸収色素の有無を判別するという特殊性から、判別具に関わるコストが高くなる傾向にあった。これにより、限られた印刷面積の中で複数の偽造防止策が共有でき、ユーザーの仕様環境や立場に応じた真偽判別手段が選択できる偽造防止用印刷物が望まれていた。
【課題を解決するための手段】
【００２３】
本発明の偽造防止用印刷物は、基材に所定の面積を有するユニットが規則的に一定ピッチで複数配置され、前述のユニットは、第１の方向に沿って対向するように配置された第１の画線領域と第２の画線領域が所定の間隔及び所定のピッチによって配置され、第１の画線領域と第２の画線領域が存在しない領域で、かつ、第１の画線領域及び第２の画線領域と隣接する位置に第３の画線領域が配置され、第１の画線領域及び第２の画線領域はオンオフの関係にあり、かつ、面積が同一であり、第１の画線領域により第１の不可視画像のポジ画像又はネガ画像のいずれか一方が形成され、第２の画線領域により第１の不可視画像のネガ画像又はポジ画像の他方が形成され、第１の画線領域は、可視光の波長領域において等色として視認される２種類の色材によって形成され、２種類のうち、赤外光の波長領域で吸収特性を有する第１の色材により第１の画線が形成され、赤外光の波長領域で透過特性を有する第２の色材により第２の画線が形成され、第２の画線領域は、第１の色材により第３の領域が形成され、第２の色材により第４の画線が形成され、第１の画線領域における第１の画線及び第２の画線と、第２の画線領域における第３の画線及び第４の画線の配置により、第２の不可視画像が形成され、第３の画線領域に形成された第５の画線により可視画像が形成された偽造防止用印刷物である。
【００２４】
また、本発明の偽造防止用印刷物における第３の画線領域は、第１の画線領域及び第２の画線領域と面積が同一か、又は大きいことを特徴とする偽造防止用印刷物である。
【００２５】
また、本発明の偽造防止用印刷物は、複数配置されたユニットにおいて、上下の位置関係により隣接して配置された２つのユニット内における第１の画線領域と第２の画線領域のオフとなる画線領域が隣接して配置された場合、オフとして配置された前記第１の画線領域及び第２の画線領域に挟まれた第３の画線領域内に第１の画線領域及び第２の画線領域の半分の画線面積で、かつ、可視光の波長領域において第１の画線領域及び第２の画線領域と等色の第４の画線領域が形成され、上段、中段、下段の位置関係により隣接して配置された３つのユニットにおいて、上段に配置されたユニットの第２の画線領域がオンとして配置され、中段に配置されたユニットの第１の画線領域及び第２の画線領域の双方がオフとして配置され、下段に配置された画線ユニットの第１の画線領域がオンとして配置された場合、中段の第１の画線領域及び第２の画線領域に挟まれた第３の画線領域内に第１の画線領域及び第２の画線領域の半分の画線面積で、かつ、可視光の波長領域において第１の画線領域及び第２の画線領域と等色の第４の画線領域が形成され、上段、中段、下段の位置関係により隣接して配置された３つのユニットにおいて、上段に配置されたユニットの第２の画線領域がオンとして配置され、中段に配置されたユニットの第１の画線領域及び第２の画線領域の双方がオフとして配置され、下段に配置された画線ユニットの第２の画線領域がオンとして配置された場合、中段の第１の画線領域及び第２の画線領域に挟まれた第３の画線領域と、中段のユニットにおける第２の画線領域及び下段のユニットにおける第１の画線領域に挟まれた第３の画線領域内に第１の画線領域及び第２の画線領域の半分の画線面積で、かつ、可視光の波長領域において第１の画線領域及び第２の画線領域と等色の第４の画線領域が形成され、第４の画線領域は、第１の色材により第６の画線が形成され、第２の色材により第７の画線が形成されたことを特徴とする偽造防止用印刷物である。
【００２６】
また、本発明の偽造防止用印刷物は、複数配置されたユニットにおいて、上下の位置関係により隣接して配置された２つのユニット内における第１の画線領域と第２の画線領域のオフとなる画線領域が隣接して配置された場合、オフとして配置された第１の画線領域及び／又は第２の画線領域と隣接する位置で、かつ、第３の画線領域と隣接する位置に、第１の画線領域及び第２の画線領域の半分の画線面積で、かつ、可視光の波長領域において第１の画線領域及び第２の画線領域と等色の第４の画線領域が形成され、第４の画線領域は、第１の色材により第６の画線が形成され、第２の色材により第７の画線が形成されたことを特徴とする偽造防止用印刷物である。
【００２７】
また、本発明の偽造防止用印刷物は、基材に所定の面積を有するユニットが規則的に一定ピッチで複数配置され、ユニットは、第１の方向に沿って対向するように配置された第１の画線領域及び第２の画線領域と、第１の方向と直行する第２の方向に沿って対向するように配置された第５の画線領域及び第６の画線領域が所定の間隔及び所定のピッチによって配置され、第１の画線領域、第２の画線領域、第５の画線領域及び第６の画線領域が存在しない領域で、かつ、第１の画線領域、第２の画線領域、第３の画線領域及び第４の画線領域に囲まれる位置に第３の画線領域が配置され、第１の画線領域及び第２の画線領域はオンオフの関係にあり、かつ、面積が同一であり、第１の画線領域により第１の不可視画像のポジ画像又はネガ画像のいずれか一方が形成され、第２の画線領域により第１の不可視画像のネガ画像又はポジ画像の他方が形成され、第５の画線領域及び第６の画線領域はオンオフの関係にあり、かつ、面積が同一であり、第５の画線領域により第３の不可視画像のポジ画像又はネガ画像のいずれか一方が形成され、第６の画線領域により第３の不可視画像のネガ画像又はポジ画像の他方が形成され、第１の画線領域は、可視光の波長領域において等色として視認される２種類の色材によって形成され、２種類の色材のうち、赤外光の波長領域で吸収特性を有する第１の色材により第１の画線が形成され、赤外光の波長領域で透過特性を有する第２の色材により第２の画線が形成され、第２の画線領域は、第１の色材により第３の画線が形成され、第２の色材により第４の画線が形成され、第５の画線領域は、第１の色材により第８の画線が形成され、第２の色材により第９の画線が形成され、第６の画線領域は、第１の色材により第１０の画線が形成され、第２の色材により第１１の画線が形成され、第１の画線、第２の画線、第３の画線、第４の画線、第８の画線、第９の画線、第１０の画線及び第１１の画線の配置により、第２の不可視画像が形成され、第３の画線領域は、赤外光の波長領域で透過特性を有する第３の色材により形成された第５の画線により可視画像が形成されたことを特徴とする偽造防止用印刷物である。
【００２８】
また、本発明の偽造防止用印刷物における複数配置されたユニットにおいて、上下の位置関係により隣接して配置された２つのユニット内における第１の画線領域と第２の画線領域のオフとなる画線領域が隣接して配置された場合、オフとして配置された第１の画線領域及び第２の画線領域に挟まれた第３の画線領域内に、第１の画線領域及び第２の画線領域の半分の画線面積で、かつ、可視光の波長領域において第１の画線、第２の画線、第３の画線及び第４の画線と等色の第４の画線領域が形成され、複数配置されたユニットにおいて、左右の位置関係により隣接して配置された２つのユニット内における第５の画線領域と第６の画線領域のオフとなる画線領域が隣接して配置された場合、オフとして配置された第５の画線領域及び第６の画線領域に挟まれた第３の画線領域内に、第５の画線領域及び第６の画線領域の半分の画線面積で、かつ、可視光の波長領域において第８の画線、第９の画線、第１０の画線及び第１１の画線と等色の第７の画線領域が形成され、第４の画線領域は、第１の色材及び第２の色材により第６の画線及び第７の画線が形成され、第７の画線領域は、第１の色材及び第２の色材により第１２の画線及び第１３の画線が形成されたことを特徴とする偽造防止用印刷物である。
【００２９】
また、本発明の偽造防止用印刷物における第５の画線は、画線の大小、画線の濃淡及び画線の疎密から選択される少なくとも一つの方法によって連続階調から成る可視画像が形成されたことを特徴とする偽造防止用印刷物である。
【００３０】
また、本発明の偽造防止用印刷物における第１の色材は、赤外線吸収性色素を含むブラックインキであり、第２の色材は、赤外線吸収色素を含まないブラックインキか、又は赤外線吸収性色素を含まないシアン（Ｃ）マゼンタ（Ｍ）及びイエロー（Ｙ）インキを混合した減法混色によるブラックによって形成されたことを特徴とする偽造防止用印刷物である。
【００３１】
また、本発明の偽造防止用印刷物は、ユニットにおける一辺の長さが１ｍｍ以下であることを特徴とする偽造防止用印刷物である。
【００３２】
また、本発明の偽造防止用印刷物の作成方法は、基材に、第１の方向に沿って対向するように配置された第１の画線及び／又は第２の画線と第３の画線及び／又は第４の画線を所定の間隔及び所定のピッチによって配置し、第１の画線及び／又は第２の画線と第３の画線及び／又は第４の画線が存在しない位置に第５の画線が配置されたユニット所定の領域内に規則的に一定ピッチで配置することで可視画像、第１の不可視画像及び第２の不可視画像を形成する偽造防止用印刷物の作成方法であって、各々のユニット内における第１の画線及び／又は第２の画線と第３の画線及び／又は第４の画線のいずれか一方の画線を配置し、他方を配置しないオンオフの組合せによりいずれか一方の画線を選択的に形成することで第１の不可視画像を形成する工程と、第１の画線及び第３の画線を赤外光の波長域で吸収特性を有する第１の色材で形成し、第２の画線及び第４の画線を赤外光の波長域で透過特性を有する第２の色材で形成することで第２の不可視画像形成する工程と、第５の画線を選択的に形成することで可視画像を形成することを特徴とする偽造防止用印刷物の作成方法である。
【００３３】
また、本発明の偽造防止用印刷物の作成方法は、複数配置されたユニットにおいて、上下の位置関係により隣接して配置された２つのユニット内における第１の画線及び／又は第２の画線のオンとして配置される画線と、第３の画線及び／又は第４の画線のオンとして配置される画線が隣接して配置された場合、隣接するユニット内に形成された第１の画線及び／又は第２の画線か、又は第３の画線及び／又は第４の画線のいずれか一方の画線を削除する工程と、複数配置されたユニットにおいて、上下の位置関係により隣接して配置された２つのユニット内における第１の画線及び／又は第２の画線のオフとして配置される画線と、第３の画線及び／又は第４の画線のオフとして配置される画線が隣接して配置された場合、各々のユニット内におけるオフとして配置された第１の画線及び／又は第２の画線と第３の画線及び／又は第４の画線に挟まれた第３の画線領域内に第１の画線及び／又は第２の画線を合計した画線面積か、又は第３の画線及び／又は第４の画線を合計した画線面積の半分の画線面積により、第６の画線及び／又は第７の画線を、第６の画線は第１の色材で、第７の画線は第２の色材により形成する工程か、上段、中段、下段の位置関係により隣接して配置された３つのユニットにおいて、上段に配置されたユニットは第３の画線及び／又は第４の画線がオンとして配置され、中段に配置されたユニットは第１の画線、第２の画線、第３の画線及び第４の画線の全てがオフとして配置され、下段に配置された画線ユニットは第１の画線及び／又は第２の画線がオンとして配置された場合、中段の前記ユニットにおける第１の画線及び／又は第２の画線と、第３の画線及び／又は第４の画線に挟まれた第３の画線領域内に第１の画線及び／又は第２の画線を合計した画線面積か、又は第３の画線及び／又は第４の画線を合計した画線面積の半分の画線面積により、第６の画線及び／又は第７の画線を、第６の画線は第１の色材で、第７の画線は第２の色材により形成する工程か、上段、中段、下段の位置関係により隣接して配置された３つのユニットにおいて、上段に配置されたユニットは第３の画線及び／又は第４の画線がオンとして配置され、中段に配置されたユニットは第１の画線、第２の画線、第３の画線及び第４の画線の全てがオフとして配置され、下段に配置された画線ユニットは第３の画線及び／又は第４の画線がオンとして配置された場合、中段のユニットにおける第１の画線及び／又は第２の画線と、第３の画線及び／又は第４の画線に挟まれた第３の画線領域と、中段のユニットにおける第３の画線及び／又は第４の画線と下段のユニットにおける第１の画線及び／又は第２の画線に挟まれた第３の画線領域内に第１の画線及び／又は第２の画線を合計した画線面積か、又は第３の画線及び／又は第４の画線を合計した画線面積の半分の画線面積により、第６の画線及び／又は第７の画線を、第６の画線は第１の色材で、第７の画線は第２の色材により形成する工程のいずれか１つ又は複数を含むことを特徴とする偽造防止用印刷物の作成方法である。
【００３４】
また、本発明の偽造防止用印刷物の作成方法は、第６の画線及び／又は第７の画線を、第１の画線及び／又は第２の画線に隣接する位置か、第３の画線及び／又は第４の画線に隣接する位置か、第５の画線が形成される位置のいずれかの位置又は複数の位置に形成することを特徴とする偽造防止用印刷物の作成方法である。
【００３５】
また、本発明の偽造防止用印刷物の作成方法は、基材に、第１の方向に沿って対向するように配置された第１の画線及び／又は第２の画線と第３の画線及び／又は第４の画線を所定の間隔及び所定のピッチによって配置し、第１の方向と直行する第２の方向に沿って対向するように配置された第８の画線及び／又は第９の画線と第１０の画線及び／又は第１１の画線を所定の間隔及び所定のピッチによって配置し、第１の画線及び／又は第２の画線、第３の画線及び／又は第４の画線、第８の画線及び／又は第９の画線、第１０の画線及び／又は第１１の画線が存在しない位置に第５の画線が配置されたユニットを所定の領域内に規則的に一定ピッチで配置することで可視画像、第１の不可視画像、第２の不可視画像及び第３の不可視画像を形成する偽造防止用印刷物の作成方法であって、各々のユニット内における第１の画線及び／又は第２の画線と第３の画線及び／又は第４の画線いずれか一方の画線を配置し、他方を配置しないオンオフの組合せによりいずれか一方の画線を選択的に形成することで第１の不可視画像を形成する工程と、各々のユニット内における第８の画線及び／又は第９の画線と第１０の画線及び／又は第１１の画線いずれか一方の画線を配置し、他方を配置しないオンオフの組合せによりいずれか一方の画線を選択的に形成することで第３の不可視画像を形成する工程と、第１の画線、第３の画線、第８の画線及び第１０の画線を赤外光の波長領域で吸収特性を有する第１の色材で形成し、第２の画線、第４の画線、第９の画線及び第１１の画線を赤外光の波長領域で透過特性を有する第２の色材により形成することで第２の不可視画像形成する工程と、第５の画線を選択的に形成することで可視画像を形成することを特徴とする偽造防止用印刷物の作成方法である。
【００３６】
また、本発明の偽造防止用印刷物の作成方法は、複数配置されたユニットにおいて、上下の位置関係により隣接して配置された２つのユニット内における第１の画線及び／又は第２の画線のオンとして配置される画線と、第３の画線及び／又は第４の画線のオンとして配置される画線が隣接して配置された場合に、隣接するユニット内に形成された第１の画線及び／又は第２の画線か、又は第３の画線及び／又は第４の画線のいずれか一方の画線を削除する工程と、複数配置されたユニットにおいて、左右の位置関係により隣接して配置された２つのユニット内における第８の画線及び／又は第９の画線のオンとして配置される画線と、第１０の画線及び／又は第１１の画線のオンとして配置される画線が隣接して配置された場合に、隣接するユニット内に形成されている第８の画線及び／又は第９の画線か、又は第１０の画線及び／又は第１１の画線のいずれか一方の画線を削除する工程と、複数配置されたユニットにおいて、上下の位置関係により隣接して配置された２つのユニット内における第１の画線及び／又は第２の画線のオフとして配置される画線と、第３の画線及び／又は第４の画線のオフとして配置される画線が隣接して配置された場合に、第１の画線及び第２の画線を合計した画線面積か、又は第３の画線及び第４の画線を合計した画線面積の半分の画線面積を有する第６の画線及び／又は第７の画線を、第６の画線は第１の色材で形成し、第７の画線は前記第２の色材によって形成する工程と、複数配置されたユニットにおいて、左右の位置関係により隣接して配置された２つのユニット内における第８の画線及び／又は第９の画線のオフとして配置される画線と、第１０の画線及び／又は第１１の画線のオフとして配置される画線が隣接して配置された場合に、第８の画線及び第９の画線を合計した画線面積か、又は第１０の画線及び第１１の画線を合計した画線面積の半分の画線面積を有する第６の画線及び／又は第７の画線を、第６の画線は第１の色材で形成し、第７の画線は第２の色材によって形成する工程とを含むことを特徴とする偽造防止用印刷物の作成方法である。
【００３７】
また、本発明の偽造防止用印刷物の作成方法システムは、可視画像を表現するための画像又はテキストを入力する可視情報入力手段と、第１の不可視画像を表現するための第１の画像又は第１のテキストを入力する第１の不可視情報入力手段と、第２の不可視画像を表現するための第２の画像又は第２のテキストを入力する第２の不可視情報入力手段と、可視情報入力手段で得られた画像又はテキストを第５の画線に変換する可視画像構成手段と、第１の画像又は第１のテキストを用いて第１の画線及び／又は第２の画線と第３の画線及び／又は第４の画線のいずれか一方を構成するための第１の不可視画像構成手段と、第２の画像又は第２のテキストを用いて第１の画線及び第３の画線と第２の画線及び第４の画線を構成するための第２の不可視画像構成手段と、構成された第１乃至５の画線を合成する画像合成手段と、第１の画線と、第３の画線とを赤外線吸収色素を含む色材で形成し、第２の画線と、第４の画線と、第５の画線とを赤外線吸収色素を含まない色材で形成する印刷手段から構成されたことを特徴とする偽造防止用印刷物の作成システムである。
【００３８】
また、本発明の偽造防止用印刷物の作成方法システムは、第１の画線及び／又は第２の画線と、第３の画線及び／又は第４の画線における半分又は略半分の画線面積率の、第６の画線及び／又は第７の画線を構成し、第６の画線が赤外線吸収色素を含む色材で印刷され、第７の画線が赤外線吸収色素を含まない色材で印刷される手段を更に備えることを特徴とする偽造防止用印刷物の作成システムである。
【００３９】
また、本発明の偽造防止用印刷物の作成方法システムは、可視画像を表現するための画像又はテキストを入力する可視情報入力手段と、第１の不可視画像を表現するための第１の画像又は第１のテキストを入力する第１の不可視情報入力手段と、第２の不可視画像を表現するための第２の画像又は第２のテキストを入力する第２の不可視情報入力手段と、第３の不可視画像を表現するための第３の画像又は第３のテキストを入力する第３の不可視情報入力手段と、可視情報入力手段で得られた画像又はテキストを第５の画線に変換する可視画像構成手段と、第１の画像又は第１のテキストを用いて第１の画線及び／又は第２の画線と第３の画線及び／又は第４の画線のいずれか一方を構成するための第１の不可視画像構成手段と、第２の画像又は第２のテキストを用いて第１の画線及び第３の画線と第２の画線及び第４の画線を構成するための第２の不可視画像構成手段と、第３の画像又は第３のテキストを用いて第８の画線及び／又は第９の画線と第１０の画線及び／又は第１１の画線のいずれか一方を構成するための第３の不可視画像構成手段と、構成された第１乃至１１の画線を合成する画像合成手段と、第１の画線、第３の画線、第８の画線及び第１０の画線を、赤外線吸収色素を含む色材で形成し、第２の画線、第４の画線、第５の画線、第９の画線及び第１１の画線を赤外線吸収色素を含まない色材で形成する印刷手段から構成されたことを特徴とする偽造防止用印刷物の作成システムである。
【００４０】
また、本発明の偽造防止用印刷物の作成方法システムは、第１の画線及び／又は第２の画線と、第３の画線及び／又は第４の画線における半分又は略半分の画線面積率の、第６の画線及び／又は第７の画線を構成し、第８の画線及び／又は第９の画線と、第１０の画線及び／又は第１１の画線における半分又は略半分の画線面積率の第１２の画線及び／又は第１３の画線を構成し、第６の画線及び第１２の画線が赤外線吸収色素を含む色材で印刷され、第７の画線及び第１３の画線が赤外線吸収色素を含まない色材で印刷される手段を更に備えることを特徴とする偽造防止用印刷物の作成システムである。
【発明の効果】
【００４１】
限られた印刷面積の中で複数の偽造防止策が共有でき、ユーザーの仕様環境や立場に応じた真偽判別手段が選択できる。また、本発明の偽造防止用印刷物における印刷模様に備える意匠性を有する可視画像は、単色の模様の他、連続階調画像、フルカラー画像及びレインボー効果等、さまざまな美麗の表現が可能であり、不可視画像の発現時において視認性を阻害することはなく、印刷物に判別具を重ね合わせることによって、不可視画像が容易に、かつ、鮮明に可視画像へとスイッチして発現するという効果を奏する。
【００４２】
さらに、本発明の偽造防止用印刷物は、画線の形状及び配置によって偽造防止効果をもたらすことが可能であることから、コストパフォーマンスに優れ、製版及び印刷方法も何ら限定されないため、印刷方式にも自由度があるという効果を奏する。
【図面の簡単な説明】
【００４３】
【図１】印刷物１に第１の判別具２を重ね合わせることにより第１の不可視画像を発現させ、第２の判別具４を用いて赤外線視することで第２の不可視画像を発現させて真偽を判別する斜視図
【図２】任意の図形及び文字等から成る印刷模様３の可視画像が視認される正面図
【図３】第１の不可視画像５又は第２の不可視画像６が可視画像となって発現された状態が示された図
【図４】実施の形態１におけるユニットの一例を簡易的に示した模式図
【図５】肉眼視では濃度が不均衡になるのを緩和するための、画線の削除並びに追加を実行するアルゴリズムを示したフローチャート
【図６】図５のアルゴリズムに従って、ユニット［ｖ］の画線Ａ’［ｖ］が削除された状態が示された図
【図７】図５のアルゴリズムに従って、画線Ａ１及び／又は画線Ａ２、画線Ａ１’及び／又は画線Ａ２’の半分又は略半分の画線面積を有する画線ａ１及び／又は画線ａ２と、画線Ｅ１及び／又は画線Ｅ２が追加された状態が示された図
【図８】マトリックス状に構成した可視画像のもととなる「ア」の文字を表現したものと、第１の不可視画像のもととなる「Ａ」の文字を表現したものと、第３の不可視画像のもととなる文字及び「Ｂ」の文字を表現したものと、第２の不可視画像のもととなる緩やかな連続階調が示された説明図
【図９】画線Ｃによる可視画像と、画線Ａ１及び／又は画線Ａ２、画線Ａ１’及び／又は画線Ａ２’、画線Ｅ１及び／又は画線Ｅ２、画線ａ１及び／又は画線ａ２による第１の不可視画像と第２の不可視画像を構成する画線の配置が示された図
【図１０】赤外線吸収性色素を含む色材で画線Ａ１、画線Ａ１’、画線Ｅ１、画線ａ１が構成され、赤外線吸収性色素を含まない色材で画線Ａ２、画線Ａ２’、画線Ｅ２、画線ａ２が構成されていることが示された図
【図１１】レンチキュラーレンズの特性によって中心線７に位置する画線Ａ１及び／又は画線Ａ２が膨張して第１の不可視画像が可視画像となって発現する状態を示す説明図。
【図１２】赤外線視するカメラ（または光学式スキャナ）を搭載した画像入力・表示装置等を用いて赤外線視し、第２の不可視画像が可視画像となって発現された状態が示された図
【図１３】実施の形態２におけるユニットの一例を簡易的に示した模式図
【図１４】画線Ｃによる可視画像と、画線Ａ１及び／又は画線Ａ２、画線Ａ１’及び／又は画線Ａ２’、画線Ｂ１及び／又は画線Ｂ２、画線Ｂ１’及び／又は画線Ｂ２’、画線Ｅ１、画線Ｅ２、画線ａ１、画線ａ２、画線ｂ１、画線ｂ２による第１の不可視画像と第２の不可視画像と第３の不可視画像とを構成する画線の配置が示された図
【図１５】赤外線吸収性色素を含む色材で画線Ａ１、画線Ａ１’、画線Ｂ１、画線Ｂ１’、画線Ｅ１、画線ａ１、画線ｂ１が構成され、赤外線吸収性色素を含まない色材で画線Ａ２、画線Ａ２’、画線Ｂ２、画線Ｂ２’、画線Ｅ２、画線ａ２、画線ｂ２が構成されていることが示された図
【図１６】レンチキュラーレンズの特性によって中心線７に位置する画線Ａ１及び／又は画線Ａ２が膨張して第１の不可視画像が可視画像となって発現する状態を示す説明図
【図１７】レンチキュラーレンズの特性によって中心線７に位置する画線Ｂ１及び／又は画線Ｂ２が膨張して第３の不可視画像が可視画像となって発現する状態を示す説明図
【図１８】赤外線視するカメラ（または光学式スキャナ）を搭載した画像入力・表示装置等を用いて赤外線視し、第２の不可視画像が可視画像となって発現された状態が示された図
【図１９】連続階調画像に不可視情報を付与された印刷物が示された一例を身分証明書型の印刷物で示された図
【図２０】実施の形態３における印刷物の発給装置の組織図
【図２１】身分証明書の印刷物８が発給されるまでの流れが示された説明図
【図２２】身分証明書を印刷する方法の基本的なフローが示された図
【図２３】身分証明書の印刷物８において第１の判別具２及び第２の判別具４を用いて真偽判別を行っている状態が示された図
【発明を実施するための形態】
【００４４】
以下、本発明の実施の形態１〜３による偽造防止用印刷物について、図面を用いて説明する。しかし、本発明は、以下に述べる実施の形態１〜３に限定されるものではなく、特許請求の範囲に記載された技術的思想の範囲内であれば、その他のいろいろな実施の形態が含まれる。
【００４５】
本発明の実施の形態１及び実施の形態２による偽造防止用印刷物は、第１の真偽判別方法と第２の真偽判別方法の２種類を備えたものであり、第１の真偽判別方法として、図１に示されたように、印刷物１に第１の判別具２を重ね合わせるか、又は第２の真偽判別方法として第２の判別具４にて生成された画像を見ることにより、容易に不可視画像を発現させて真偽性を判別することができるものである。第１の真偽判別方法の第１の判別具２は、透明性を有するフィルタに複数の直線が万線状に一方向に沿って形成された万線フィルタ又はレンチキュラーレンズ等である。一方、第２の真偽判別方法の第２の判別具４は、赤外線視するカメラ（または光学式スキャナ）を搭載した画像入力・表示装置（ＩＲビューアとも呼ばれる）等である。
【００４６】
図１（ａ）に示されたように、印刷物１の印刷模様３を通常の可視条件において目視により観察すると、図２に示されたように、任意の図形及び文字等から成る印刷模様３の可視画像が視認される。
【００４７】
そして、第１の真偽判別方法として、印刷物１上に第１の判別具２を所定の角度（これを０度とする。）を持って重ね合わせると、図３（ａ）に示されたような第１の不可視画像５が可視画像となって発現される。これにより、図１で示された印刷模様３の可視画像がほとんど見えなくなり、第１の不可視画像５が可視画像となって印刷模様３の可視画像と入れ替わるように観察される。また、万線フィルタ又はレンチキュラーレンズ等の第１の判別具２が印刷模様３と重なる位置の違いによって、不可視画像５はポジ又はネガ状態に視認される。ネガ又はポジ状のどちらかに見えるのは、第１の判別具２と印刷物１との間の相対的な位置によって生ずるものであり、本発明の効果の範囲内である。
【００４８】
さらに、第２の真偽判別方法として、印刷物１に赤外線視するカメラ（または光学式スキャナ）を搭載した画像入力・表示装置である第２の判別具４を用いて赤外線視すると、図３（ｂ）に示されたような第２の不可視画像６が可視画像となって発現される。これにより、図１で示された印刷模様３の可視画像がほとんど見えなくなり、第２の不可視画像６が可視画像となって印刷模様３の可視画像と入れ替わるように観察される。
【００４９】
（１）実施の形態１
本発明の実施の形態１による偽造防止用印刷物について説明する。
図４（ａ）は、本実施の形態１における印刷物に対する印刷模様の一画線の構成における部分的な拡大図である。ここで、縦の寸法Ｓｖは、例えば、３４０μｍというように１ｍｍ以下の大きさである。図４（ａ）の画線は、ユニットと称する最小単位であり、画線Ａ１、画線Ａ２、画線Ａ１’及び画線Ａ２’とで構成されている。この図４（ａ）の画線が、印刷物の表面上においてマトリクス状に規則的に配置される。画線Ａ１及び／又は画線Ａ２と、画線Ａ１’及び／又は画線Ａ２’とは、対を成しており、相互にオンオフの関係にある。このオンオフの関係とは、例えば、一方が黒（オン）のときは他方は白（オフ）、一方が有着色のときは他方が無着色であるという、基本的には双方ともに黒又は双方ともに白であることがないということである。そして、画線Ａ１及び／又は画線Ａ２と、画線Ａ１’及び／又は画線Ａ２’とは、面積が同一である。このような画線Ａ１及び／又は画線Ａ２と、画線Ａ１’及び／又は画線Ａ２’とが存在することで通常の可視条件下では視認されず、画線Ａ１及び／又は画線Ａ２のみにより不可視画像（ネガ又はポジ）、画線Ａ１’及び／又は画線Ａ２’のみにより不可視画像（ポジ又はネガ）がそれぞれ形成されている。なお、本発明でいう面積が同一とは、画線面積率が略同一であるものを含むものである。
【００５０】
また、図４（ａ）に示された画線Ｃは、画線Ａ１及び／又は画線Ａ２と、画線Ａ１’及び／又は画線Ａ２’とで面積が同一又は大きく、この画線Ｃにより可視画像（デザイン：模様）を形成し、図２に示されたような任意の図形及び文字から成る印刷模様３の可視画像を構成する画線となり、画線Ｃは、画線Ａ１及び／又は画線Ａ２と、画線Ａ１’及び／又は画線Ａ２’とに挟まれるように配置されている。さらに、図４（ａ）に示された画線Ｃは、ユニット横方向を長手方向とし、寸法Ｓｈを最大幅とする長方形である。すなわち、ユニットの近傍部によって、画線Ｃを備えた領域が横一直線状に連結されているものである。
【００５１】
なお、図４（ａ）では、画線Ａ１及び／又は画線Ａ２と、画線Ａ１’及び／又は画線Ａ２’とのそれぞれの境界がグラデーションで示されているのは、画線Ａ１及び／又は画線Ａ２と、画線Ａ１’及び／又は画線Ａ２’との領域が、第２の不可視画像６の構成によって可変することを示すものである。すなわち、画線Ａ１及び／又は画線Ａ２と、画線Ａ１’及び／又は画線Ａ２’とのそれぞれの領域の割合は、第２の不可視画像６を構成する連続階調によって変化する。
【００５２】
また、画線Ａ１及び／又は画線Ａ２と、画線Ａ１’及び／又は画線Ａ２’とは、可視光の波長領域においては黒色となって視認される。画線Ａ１及び画線Ａ１’は、赤外線吸収性色素を含む色材として、例えば、カーボンブラックを含むブラック（Ｂｋ）インキで構成され、画線Ａ２及び画線Ａ２’は、赤外線吸収性色素を含まない色材として、例えば、シアン（Ｃ）、マゼンタ（Ｍ）及びイエロー（Ｙ）の減法混色によって混合されたブラックで構成されている。本実施の形態では、第２の不可視画像６の連続階調を画線Ａ１及び画線Ａ１’により形成するため、赤外線吸収性色素を含む色材にて構成されている。具体的な画線構成については、後述にて詳細に説明する。
【００５３】
図２に示された印刷物１の印刷模様３は、図４（ａ）に示されたユニットが縦ステップ数ｖと横ステップ数ｈをもってマトリクス状に縦横隙間なく、連続的に、かつ、規則的に配置されたものである。なお、本実施の形態でいうステップ数とは、印刷模様３上で繰り返されるユニットの数のことを指すもので、ステップ数に何ら制限はなく、このステップ数によって可視画像及び不可視画像の解像度と比例している。また、画線Ａ１及び／又は画線Ａ２と、画線Ａ１’及び／又は画線Ａ２’とが横方向に並ぶことによって、画線Ａ１及び／又は画線Ａ２群から成る平行万線と、画線Ａ１’及び／又は画線Ａ２’群から成る平行万線とが形成される。すなわち、図４は、線位相変調（Line phase modulation）によって、不可視画像を施している状態となっているものである。しかし、この状態では、肉眼視で、複数の画線Ａ１及び／又は画線Ａ２と複数の画線Ａ１’及び／又は画線Ａ２’とがマトリクス状に配置されたユニットの近傍部にて画線Ａ１及び／又は画線Ａ２と、画線Ａ１’及び／又は画線Ａ２’との双方がオン（有着色）になることで濃度が高く（濃く）見えたり、また、複数の画線Ａ１及び／又は画線Ａ２と、複数の画線Ａ１’及び／又は画線Ａ２’とがマトリクス状に配置されたユニットの近傍部にて画線Ａ１及び／又は画線Ａ２と、画線Ａ１’及び／又は画線Ａ２’との双方がオフ（無着色）になることで濃度が低く（淡く）見えたりして、肉眼視では濃度が不均衡となって見えることもある。
【００５４】
この濃度が不均衡に見えるのを緩和するため、図４（ａ）に示された画線Ｅ１及び／又は画線Ｅ２と、画線ａ１及び／又は画線ａ２とを、それぞれ画線Ｃの領域中に配置している。画線ａ１及び／又は画線ａ２は、一つのユニット内における画線Ａ１及び／又は画線Ａ２を合計した画線面積の半分の画線面積であり、画線Ａ１及び／又は画線Ａ２に対してユニット縦方向上に配列し、画線Ａ１’及び／又は画線Ａ２’と、画線Ａ１’及び／又は画線Ａ２’とに挟まれるように配置されている。一方、画線Ｅ１及び／又は画線Ｅ２は、一つのユニット内における画線Ａ１及び／又は画線Ａ２を合計した画線面積の半分の画線面積であり、画線Ａ１’及び／又は画線Ａ２’に対してユニット縦方向上に配列し、画線Ａ１及び／又は画線Ａ２と、画線Ａ１’及び／又は画線Ａ２’とに挟まれるように配置されている。これにより、第１の不可視画像５の画線と濃度の不均衡が緩和されている。なお、画線Ｅ１と、画線ａ１は、赤外線吸収性色素を含む色材として、例えば、カーボンブラックを含むブラック（Ｂｋ）インキで構成され、画線Ｅ２と画線ａ２は、赤外線吸収性色素を含まない色材として、例えば、シアン（Ｃ）、マゼンタ（Ｍ）、イエロー（Ｙ）の減法混色によって混合されたブラックで構成されている。
【００５５】
図５に示されたアルゴリズムによって最小単位であるユニット［ｖ］ごとに、画線の削除並びに追加を実行するものである。ここで、図面の表記を簡単にするため、画線Ａ１及び／又は画線Ａ２を総じて画線Ａとし、画線Ａ１’及び／又は画線Ａ２’を総じて画線Ａ’とし、画線Ｅ１及び／又は画線Ｅ２を総じて画線Ｅとし、画線ａ１及び／又は画線ａ２を総じて画線ａと表記している。なお、［ｖ］とは、ユニットを縦上から数えたステップ数である。まず、処理ｆ１にて、マトリクス状に配置した列ごとのユニット［ｖ］において順次画線Ａ［ｖ］と、画線Ａ’［ｖ］の検知が行われる。なお、画線Ａ［ｖ］と、画線Ａ’［ｖ］を検知する方法は、例えば、印刷模様３がビットマップ形式の２値画像の場合、処理すべきユニット内において、一般的にラベリングと呼ばれる処理によって、画線Ａ［ｖ］及び／又は画線Ａ’［ｖ］を識別しても良い。
【００５６】
次に、処理ｆ２にて、ユニット［ｖ］に画線Ａ’［ｖ］を有し、かつ、ユニット［ｖ＋１］に画線Ａ［ｖ＋１］を有する条件に一致したとき、処理ｆ３にて、ユニット［ｖ］における本来配置される位置である画線Ａ’［ｖ］の削除が行われる。すなわち、図６（ａ）に示めされるように、ユニット［ｖ］、ユニット［ｖ＋１］、ユニット［ｖ＋２］の配置の際、ユニット［ｖ］の画線Ａ’［ｖ］とユニット［ｖ＋１］の画線Ａ［ｖ＋１］が隣接している場合、図６（ｂ）に示めされるように、ユニット［ｖ］の画線Ａ’［ｖ］が削除される。また、処理ｆ２の条件に一致しない場合は処理４に移行する。
【００５７】
次に、処理ｆ４にて、ユニット［ｖ］に画線Ａ［ｖ］を有し、かつ、ユニット［ｖ＋１］に画線Ａ’［ｖ＋１］を有する条件に一致したとき、処理ｆ５にて、ユニット［ｖ］における画線ａ［ｖ］の追加を行う。すなわち、図７（ｂ）に示されるように、ユニット［ｖ］の画線Ａとユニット［ｖ＋１］のの画線Ａ´の中間に、画線Ａ及び／又は画線Ａ’の半分の画線面積を有する画線ａが追加される。これにより、ユニット［ｖ］とユニット［ｖ＋１］間における肉眼視での濃度の不均衡が緩和される。なお、本発明でいう半分の画線面積とは、略半分の画線面積を含むものである。
【００５８】
次に、処理ｆ６にて、ユニット［ｖ］に画線Ａ’［ｖ］を有し、ユニット［ｖ＋１］に画線がなく、かつ、ユニット［ｖ＋２］に画線Ａ［ｖ＋２］を有する条件に一致したとき、処理ｆ７にて、ユニット［ｖ＋１］における画線Ｅ１［ｖ＋１］の追加を行う。すなわち、図７（ｃ）に示されるように、ユニット［ｖ＋１］の画線Ａ´［ｖ＋１］とユニット［ｖ＋２］の画線Ａ´［ｖ＋２］の中間に、画線Ａ及び／又は画線Ａ’の半分の画線面積を有する画線Ｅ１が追加される。これにより、ユニット［ｖ］とユニット［ｖ＋２］間における肉眼視での濃度の不均衡が緩和される。
【００５９】
次に、処理ｆ８にて、ユニット［ｖ］に画線Ａ’［ｖ］を有し、ユニット［ｖ＋１］に画線がなく、かつ、ユニット［ｖ＋２］に画線Ａ’［ｖ＋２］を有する条件に一致したとき、処理ｆ９にて、ユニット［ｖ＋１］における画線Ｅ［ｖ＋１］と、画線ａ［ｖ＋１］の追加を行う。すなわち、図７（ｄ）に示されるように、ユニット［ｖ＋１］の画線Ａ［ｖ＋１］が配置される領域に隣接する位置に、画線Ａ及び／又は画線Ａ’の半分の画線面積を有する画線Ｅが追加され、ユニット［ｖ＋１］の画線Ａ’［ｖ＋１］が配置される領域に隣接する位置に、画線Ａ及び／又は画線Ａ’の半分の画線面積を有する画線ａが追加される。これにより、ユニット［ｖ］とユニット［ｖ＋２］間における肉眼視での濃度の不均衡が緩和される。
【００６０】
この状態で、例えば、レンチキュラーレンズから成る第１の判別具２を印刷物１上の印刷模様３に重ね合わせ、正面から目視で観察することによって、印刷模様３に施されている不可視画像を可視画像として発現させることができる。なお、本実施の形態１では、寸法Ｓｖが３４０μｍで、印刷模様３がオフセット印刷によりコート紙に印刷されている。しかし、寸法Ｓｖ、印刷物の基材、印刷方法、印刷材料及び印刷装置等について何ら限定するものでない。
【００６１】
ここで、本実施の形態１を簡単に説明するため、図３（ａ）で示された第１の不可視画像５と、図３（ｂ）で示された第２の不可視画像６を、さらに模式的な表現にて説明する。図８（ａ）は、印刷模様３の領域内における可視画像のもととなる画像として、例えば、「ア」の文字を用いたものである。一方、図８（ｂ）は、第１の不可視画像のもととなる画像として、例えば「Ａ」の文字を用いたものである。また、第２の不可視画像のもととなる画像として、例えば、緩やかな連続階調を表現したものである。可視画像の分解能については特に制限はないが、本実施の形態の効果をより高める方法として、画像の最小画素寸法として、図８（ａ）に示された画像は、ユニットの縦の寸法Ｓｖ及び横の寸法Ｓｈのそれぞれ半分が適当である。また、図８（ｂ）に示された第１の不可視画像及び第２の不可視画像の分解能については、ユニットの縦の寸法Ｓｖ及び横の寸法Ｓｈのそれぞれが一致していることが適当である。以下、図８にて示された画像をもとに本実施の形態を詳細に説明する。
【００６２】
図９（ａ）は、図８（ａ）に示された可視画像を、図４（ａ）に示された画線Ｃによって構成したもので、マトリックス状に構成した画線の大きさの違いによって「ア」の文字を表現したものである。なお、画像の最小画素寸法は、ユニットの縦の寸法Ｓｖ及び横の寸法Ｓｈの半分であることから、画線Ｃによって構成した可視画像は、図８（ｂ）に示された第１の不可視画像及び第２の不可視画像に対して倍の分解能を有している。また、画線Ｃは、赤外線吸収性色素を含まない色材として、例えば、シアン（Ｃ）、マゼンタ（Ｍ）及びイエロー（Ｙ）のいずれか単体か、又はそれらを混合したインキで印刷されている。一方、図９（ｂ）は、第１の不可視画像と第２の不可視画像を構成する画線の配置である。図５に示されたアルゴリズムによって、図８（ｂ）に示された第１の不可視画像である「Ａ」の文字を埋め込んだ画線の画線の配置となっている。さらに、第２の不可視画像は第１の不可視画像に含まれている。すなわち、図４に示された画線Ａ１、画線Ａ２、画線Ａ１’及び画線Ａ２’の濃度が不均衡に見えるのを緩和するための画線Ｅ１及び／又は画線Ｅ２と、画線ａ１及び／又は画線ａ２によって構成されている。
【００６３】
図９（ｂ）に示された画線構成を、図１０にてさらに詳細に説明する。図１０（ａ）は、赤外線吸収性色素を含む色材として、例えば、カーボンブラックを含むブラック（Ｂｋ）インキで構成された画線群が示されたもので、画線Ａ１、画線Ａ１’、画線Ｅ１及び画線ａ１によって、図８（ｂ）に示された第２の不可視画像のもととなる画像として、例えば、緩やかな連続階調を表現されたものである。一方、図１０（ｂ）は、赤外線吸収性色素を含まない色材として、例えば、シアン（Ｃ）、マゼンタ（Ｍ）及びイエロー（Ｙ）の減法混色によって混合されたブラックで構成された画線群が示されたもので、画線Ａ２、画線Ａ２’、画線Ｅ２及び画線ａ２によって、図８（ｂ）に示された第２の不可視画像のもととなる画像のネガ状態を表現されたものである。図１０（ａ）の画線群と図１０（ｂ）の画線群を併せて備えたものが図９（ｂ）の画線群ということになる。
【００６４】
図１１（ａ）に示された印刷模様３は、図９（ａ）に示された可視画像と、図９（ｂ）に示された不可視画像が合成されたものである。まず、第１の真偽判別方法として、図１１（ａ）に示されたように、印刷物上の所定の位置に、第１の判別具２であるレンチキュラーレンズにおける各レンズの中心線７が画線Ａ１及び画線Ａ２の中心である、すなわち、図４における線Ｌ１に一致するように載置する。この場合、図１１（ｂ）に示されたようにレンチキュラーレンズの作用によって画線Ａ１及び画線Ａ２が拡大された状態となるため、画線Ａ１及び画線Ａ２により構成されている画像（模様）を確認することができることとなる。その際、可視画像を構成していた画線Ｃは、レンチキュラーレンズの各レンズの中心線７と一致せず、第１の判別具２の真上から視認されることはない。これにより、図２に示された印刷模様３の可視画像が図３（ａ）に示されたような第１の不可視画像５へとスイッチすることとなる。また、画線Ａ１’及び画線Ａ２’が拡大されるように、縦軸方向に沿って第１の判別具２の各レンズの中心線７が、図４における線Ｌ２と一致するように移動させた場合、画線Ａ１’及び画線Ａ２’により視認された第１の不可視画像がネガポジ反転して視認される。
【００６５】
図１２（ａ）に示された印刷模様３は、図９（ａ）に示された可視画像と、図９（ｂ）に示された不可視画像が合成されたものである。第２の真偽判別方法として、図１で示されたような第２の判別具４である、例えば、赤外線視するカメラ（または光学式スキャナ）を搭載した画像入力・表示装置等を用いて赤外線視すると、図１２（ｂ）に示されたような第２の不可視画像が可視画像となって発現される。すなわち、赤外線視された場合、赤外線吸収性色素を含まない画線Ｃ、画線Ａ２、画線Ａ２’、画線Ｅ２及び画線ａ２は、印刷物１の基材における表面反射光のみとなり、赤外線吸収性色素を含む画線Ａ１、画線Ａ１’、画線Ｅ１及び画線ａ１だけが確認され、第２の不可視画像が可視画像となって観察される。すなわち、赤外線視においては、赤外線吸収性色素を含む画線と含まない画線とでは、相互にオンオフの関係にある。赤外線吸収性色素を含む色材から成る画線Ａ１、画線Ａ１’、画線Ｅ１及び画線ａ１は、黒（オン）であり、赤外線吸収性色素を含まない色材から成る画線Ｃ、画線Ａ２、画線Ａ２’、画線Ｅ２及び画線ａ２は、白（オフ）と認識され、基本的には双方ともに黒又は双方ともに白であることがないということである。これにより、それぞれ異なる第１の真偽判別方法と第２の真偽判別方法を備えた偽造防止用印刷物となる。そして、マトリックス状に配置するユニットの数が多いほど画像の分解能が高くなり、図３（ｂ）に示されたような第２の不可視画像６を表現することを可能にしている。
【００６６】
また、ユニットの構成としては、図４（ｂ）に示される画線構成であっても良い。図４（ｂ）は、図４（ａ）で示された濃度が不均衡に見えるのを緩和するための画線Ｅ１及び／又は画線Ｅ２と、画線ａ１及び／又は画線ａ２とを、それぞれ画線Ｃ領域に挟まれるように配置している。すなわち、図４（ｂ）に示された画線ａ１及／又は画線ａ２と、画線Ｅ１及び／又は画線Ｅ２とは、画線Ａ１及び／又は画線Ａ２と、画線Ａ１’及び／又は画線Ａ２’とに対してユニット横方向において寸法Ｓｈの１／３の長をもってずれて配置されている。画線ａ１及び／又は画線ａ２は、画線Ａ１及び／又は画線Ａ２の半分の画線面積であり、画線Ａ１及び／又は画線Ａ２に対してユニット縦方向上に配列し、マトリクス状に配置されたユニットの近傍部にて画線Ａ１’及び／又は画線Ａ２’と、画線Ａ１’及び／又は画線Ａ２’とに挟まれるように配置されている。一方、画線Ｅ１及び／又は画線Ｅ２と、画線Ｅ１及び／又は画線Ｅ２とは、画線Ａ及び／又は画線Ａ’の半分の画線面積であり、画線Ａ１’及び／又は画線Ａ２’に対してユニット縦方向上に配列し、マトリクス状に配置されたユニットの近傍部にて画線Ａ１及び／又は画線Ａ２と、画線Ａ１及び／又は画線Ａ２とに挟まれるように配置されている。これにより、第１の不可視画像用の画線の濃度の不均衡を緩和するための画線がユニット横方向において横一直線状に連結されているものである。この図４（ｂ）に示されたユニットの画線構成においても同様の効果を奏するものである。
【００６７】
（２）実施の形態２
次に、本発明の実施の形態２による偽造防止用印刷物について説明する。実施の形態１では、第１の不可視画像と第２の不可視画像とが発現する例であるが、実施の形態２では、第１の不可視画像と第２の不可視画像に加え、第１の判別具２によって、第１の不可視画像と異なる第３の不可視画像が発現する例を説明するものである。
【００６８】
図１３は、本実施の形態２における印刷物に対する印刷模様の一画線の構成における部分的な拡大図である。ここで、縦の寸法Ｓｖ及び横の寸法Ｓｈは、例えば、３４０μｍというように１ｍｍ以下の大きさである。図１３の画線は、ユニットと称する最小単位であり、画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’とにより、不可視画像が構成されている。この図１３に示す画線が、印刷物の表面上においてマトリクス状に規則的に配置される。画線Ａ１及び／又は画線Ａ２と、画線Ａ１’及び／又は画線Ａ２’とは、対を成しており、相互にオンオフの関係にある。一方、画線Ｂ１及び／又は画線Ｂ２と、画線Ｂ１’及び／又は画線Ｂ２’とは、対を成しており、相互にオンオフの関係にある。そして、画線Ａ１及び／又は画線Ａ２と画線Ａ１’及び／又は画線Ａ２’とは、面積が同一であり、かつ、画線Ｂ１及び／又は画線Ｂ２と、画線Ｂ１’及び／又は画線Ｂ２’とは、面積が同一である。このような画線Ａ１及び／又は画線Ａ２と、画線Ａ１’及び／又は画線Ａ２’、画線Ｂ１及び／又は画線Ｂ２と、画線Ｂ１’及び／又は画線Ｂ２’とが存在することで通常の可視条件下では視認されず、画線Ａのみにより不可視画像（ネガ又はポジ）、画線Ａ’のみにより不可視画像（ポジ又はネガ）がそれぞれ形成され、さらに、画線Ｂ１及び／又は画線Ｂ２のみにより不可視画像（ネガ又はポジ）、画線Ｂ１’及び／又は画線Ｂ２’のみにより不可視画像（ポジ又はネガ）がそれぞれ形成されている。
【００６９】
また、実施の形態１と同様に、図１３に示された画線Ｃにより可視画像（デザイン：模様）を形成し、図２に示されたような任意の図形及び文字から成る印刷模様３の可視画像を構成する画線となり、画線Ｃが画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’とに挟まれるように配置されている。
【００７０】
なお、図１３では、画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’とのそれぞれの境界がグラデーションで示されているのは、それぞれの画線領域が、第２の不可視画像６の構成によって可変することを示すものである。すなわち、画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’とのそれぞれの領域は、第２の不可視画像６を構成する連続階調によって変化する。
【００７１】
また、画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’は、可視光の波長領域においては黒色となって視認される。画線Ａ１、画線Ａ１’、画線Ｂ１及び画線Ｂ１’は、赤外線吸収性色素を含む色材として、例えば、カーボンブラックを含むブラック（Ｂｋ）インキで構成され、画線Ａ２、画線Ａ２’、画線Ｂ２及び画線Ｂ２’は、赤外線吸収性色素を含まない色材として、例えば、シアン（Ｃ）、マゼンタ（Ｍ）及びイエロー（Ｙ）の減法混色によって混合されたブラックで構成されている。本実施の形態では、第２の不可視画像６の連続階調を画線Ａ１、画線Ａ１’、画線Ｂ１及び画線Ｂ１’で、赤外線吸収性色素を含む色材にて構成されている。
【００７２】
図２に示された印刷物１の印刷模様３は、図１３に示されたユニットが縦ステップ数ｖと横ステップ数ｈをもってマトリクス状に縦横隙間なく、連続的に、かつ、規則的に配置されたものである。なお、この状態では、肉眼視で複数の画線Ａ１及び／又は画線Ａ２と、複数の画線Ａ１’及び／又は画線Ａ２’とがマトリクス状に配置されたユニットの近傍部にて画線Ａ１及び／又は画線Ａ２と、画線Ａ１’及び／又は画線Ａ２’と、画線Ｂ１及び／又は画線Ｂ２と、画線Ｂ１’及び／又は画線Ｂ２’との双方がオン（有着色）になることで濃度が高く（濃く）見えたり、また、複数の画線Ａ１及び／又は画線Ａ２と、複数の画線Ａ１’及び／又は画線Ａ２’複数の画線Ｂ１及び／又は画線Ｂ２と、複数の画線Ｂ１’及び／又は画線Ｂ２’とがマトリクス状に配置されたユニットの近傍部にて画線Ａ１及び／又は画線Ａ２と、画線Ａ１’及び／又は画線Ａ２’の関係、画線Ｂ１及び／又は画線Ｂ２と、画線Ｂ１’及び／又は画線Ｂ２’との関係で、双方がオフ（無着色）になることで濃度が低く（淡く）視認され、肉眼視では、濃度が不均衡となって見えることもある。
【００７３】
この濃度が不均衡に見える状態を緩和するため、図１３に示された画線Ｅ１及び／又は画線Ｅ２と、画線ａ１及び／又は画線ａ２と、画線ｂ１及び／又は画線ｂ２とを、それぞれ画線Ｃの領域中に配置している。なお、画線Ｅ１、画線ａ１及び画線ｂ１は、赤外線吸収性色素を含む色材として、例えば、カーボンブラックを含むブラック（Ｂｋ）インキで構成され、画線Ｅ２、画線ａ２及び画線ｂ２は、赤外線吸収性色素を含まない色材として、例えば、シアン（Ｃ）、マゼンタ（Ｍ）及びイエロー（Ｙ）の減法混色によって混合されたブラックで構成されている。
【００７４】
また、画線Ｅ１、画線ａ１及び画線ｂ１の画線の生成については、図５に示されたアルゴリズムに準拠するものであり、画線Ａ１及び／又は画線Ａ２を総じて画線Ａとし、画線Ａ１’及び／又は画線Ａ２’を総じて画線Ａ’とし、画線Ｅ１及び／又は画線Ｅ２を総じて画線Ｅとし、画線ａ１及び／又は画線ａ２を総じて画線ａと表記している。さらに、ユニットの縦横の関係を反対にし、画線Ｂ１及び／又は画線Ｂ２を総じて画線Ａとし、画線Ｂ１’及び／又は画線Ｂ２’を総じて画線Ａ’とし、画線Ｅ１及び／又は画線Ｅ２を総じて画線Ｅとし、画線ｂ１及び／又は画線ｂ２を総じて画線ａと表記して図５に示されたアルゴリズムで処理することにより、画線Ｂ１及び／又は画線Ｂ２と、画線Ｂ１’及び／又は画線Ｂ２’の関係から成る画線Ｅ１及び／又は画線Ｅ２と、画線ｂ１及び／又は画線ｂ２とが生成される。
【００７５】
図１４（ａ）は、図８（ａ）に示された可視画像を、図１３（ａ）に示された画線Ｃによって構成したもので、マトリックス状に構成した画線の大きさの違いによって「ア」の文字を表現したものである。なお、画像の最小画素寸法は、ユニットの縦の寸法Ｓｖ及び横の寸法Ｓｈの半分であることから、画線Ｃによって構成した可視画像は、図８（ｂ）に示された第１の不可視画像及び第２の不可視画像に対して倍の分解能を有している。また、画線Ｃは、赤外線吸収性色素を含まない色材として、例えば、シアン（Ｃ）、マゼンタ（Ｍ）及びイエロー（Ｙ）のいずれか単体か、又はそれらを混合したインキで印刷されている。一方、図１４（ｂ）は、第１の不可視画像と第２の不可視画像を構成する画線の配置である。図５に示されたアルゴリズムによって、図８（ｂ）に示された第１の不可視画像である「Ａ」の文字及び第３の不可視画像「Ｂ」の文字を埋め込んだ画線の配置となっている。さらに、第２の不可視画像は、第１の不可視画像及び第３の不可視画像に含まれている。すなわち、図１３に示された画線Ａ１、画線Ａ２、画線Ａ１’、画線Ａ２’、画線Ｂ１、画線Ｂ２、画線Ｂ１’及び画線Ｂ２’と、濃度が不均衡に見えるのを緩和するための画線Ｅ１及び／又は画線Ｅ２と、画線ａ１及び／又は画線ａ２と、画線ｂ１及び／又は画線ｂ２とによって構成されている。
【００７６】
図１４（ｂ）に示された画線構成を、図１５にてさらに詳細に説明する。図１５（ａ）は、赤外線吸収性色素を含む色材として、例えば、カーボンブラックを含むブラック（Ｂｋ）インキで構成された画線群が示されたもので、画線Ａ１、画線Ａ１’、画線Ｂ１、画線Ｂ１’、画線Ｅ１、画線ａ１及び画線ｂ１によって、図８（ｂ）に示された第２の不可視画像のもととなる画像として、例えば、緩やかな連続階調を表現されたものである。一方、図１５（ｂ）は、赤外線吸収性色素を含まない色材として、例えば、シアン（Ｃ）、マゼンタ（Ｍ）及びイエロー（Ｙ）の減法混色によって混合されたブラックインキで構成された画線群が示されたもので、画線Ａ２、画線Ａ２’、画線Ｂ２、画線Ｂ２’、画線Ｅ２、画線ａ２及び画線ｂ２によって、図８（ｂ）に示された第２の不可視画像のもととなる画像のネガ状態を表現されたものである。図１５（ａ）の画線群と図１５（ｂ）の画線群を併せて備えたものが図１４（ｂ）の画線群ということになる。
【００７７】
図１６（ａ）に示された印刷模様３は、図１４（ａ）に示された可視画像と、図１４（ｂ）に示された不可視画像が合成されたものである。まず、第１の真偽判別方法として、図１６（ａ）に示されたように、印刷物上の所定の位置に、第１の判別具２であるレンチキュラーレンズにおける各レンズの中心線７が画線Ａ１及び画線Ａ２の中心、すなわち、図１３における線Ｌ１に一致するように載置する。この場合、図１６（ｂ）に示されたようにレンチキュラーレンズの作用によって画線Ａ１及び画線Ａ２が拡大された状態となるため、画線Ａ１及び画線Ａ２により構成されている「Ａ」の文字を確認することができることとなる。その際、可視画像を構成していた画線Ｃは、レンチキュラーレンズの各レンズの中心線７と一致せず、第１の判別具２の真上から視認されることはない。また、画線Ａ１’及び画線Ａ２’が拡大されるように、縦軸方向に沿って第１の判別具２の各レンズの中心線７が、図１３における線Ｌ２と一致するように移動させた場合、画線Ａ１’及び画線Ａ２’により視認された第１の不可視画像がネガポジ反転して視認される。
【００７８】
また、図１７（ａ）に示された印刷模様３は、図１４（ａ）に示された可視画像と、図１４（ｂ）に示された不可視画像が合成されたものである。まず、第３の真偽判別方法として、図１７（ａ）に示されたように、印刷物上の所定の位置に、第１の判別具２であるレンチキュラーレンズにおける各レンズの中心線７が画線Ｂ１及び画線Ｂ２の中心である、すなわち、図１３における線Ｌ３に一致するように載置する。この場合、図１７（ｂ）に示されたようにレンチキュラーレンズの作用によって画線Ｂ１及び画線Ｂ２が拡大された状態となるため、画線Ｂ１及び画線Ｂ２により構成されている「Ｂ」の文字を確認することができることとなる。その際、可視画像を構成していた画線Ｃは、レンチキュラーレンズの各レンズの中心線７と一致せず、第１の判別具２の真上から視認されることはない。また、画線Ｂ１’及び画線Ｂ２’が拡大されるように、縦軸方向に沿って第１の判別具２の各レンズの中心線７が、図１３における線Ｌ４と一致するように移動させた場合、画線Ｂ１’及び画線Ｂ２’により視認された第３の不可視画像がネガポジ反転して視認される。
【００７９】
図１８（ａ）に示された印刷模様３は、図１４（ａ）に示された可視画像と、図１４（ｂ）に示された不可視画像が合成されたものである。まず、第２の判別具４として、例えば、赤外線視するカメラ（または光学式スキャナ）を搭載した画像入力・表示装置等を用いて赤外線視すると、図１８（ｂ）に示されたような第２の不可視画像が可視画像となって発現される。すなわち、赤外線視された場合、赤外線吸収性色素を含まない画線Ｃ、画線Ａ２、画線Ａ２’、画線Ｂ２、画線Ｂ２’、画線Ｅ２、画線ａ２及び画線ｂ２は、印刷物１の基材における表面反射光のみとなり、赤外線吸収性色素を含む画線Ａ１、画線Ａ１’、画線Ｂ１、画線Ｂ１’、画線Ｅ１、画線ａ１及びｂ１だけが確認され、第２の不可視画像が可視画像となって観察される。これにより、それぞれ異なる第１の真偽判別方法と第２の真偽判別方法を備えた偽造防止用印刷物となる。
【００８０】
ここで第１の判別具２は、レンチキュラーレンズにかかわらず、例えば、万線フィルタであっても同様の効果が得られる。この万線フィルタの場合は、フィルタ上の万線に該当する部分が可視画像を構成する画線を隠蔽することで、不可視画像を構成する画線のみを確認することができることとなるが、可視画像を完全には隠蔽することができずに若干視認されてしまうことがある。ただし、これによって本発明の効果を損なうことはないため、簡易的に判別を行うには、万線フィルタを用いても充分である。
【００８１】
実施の形態１及び実施の形態２の可視画像を構成する画線Ｃは、意匠性を備え、単色の模様の他、網点、グレースケール的に適当な濃度で着色された相対的な写真階調、ランダム・ドットのディザ法等公知の表現方法から成る連続階調画像を適用できる。すなわち、連続階調を有する有意味な可視画像は、ハイライトからシャドーの連続階調を有していれば顔画像、文字、数字、図柄、絵柄、ロゴマーク等、特に限定されるものではない。なお、身分証明書、入場券等の本人確認が必要とされる印刷物を形成する場合は、連続階調を有する有意味な可視画像を顔画像とし、不可視画像を個人情報や発行日とすることが好ましい。本発明の連続階調を有する偽造防止用印刷物の印刷方式は、インクジェットプリンタ、レーザプリンタ、オフセット印刷機等、特に限定されるものではない。本発明の連続階調を有する偽造防止用印刷物の基材は、紙、プラスチック等、特に限定されるものではない。
【００８２】
（３）実施の形態３
上述した実施の形態１及び実施の形態２で示されたように、本発明は、連続階調画像に対して画像を含む不可視情報を付与するものであり、本実施の形態３では、印刷物の発給システムについて説明する。
【００８３】
図１９は、連続階調画像に不可視情報が付与された印刷物を示したものである。身分証明書型の印刷物８における印刷面上の一部に、カード台紙模様９と顔写真画像部１０と不可視画像部１１とが併せて印刷されている。不可視画像部１１は、上述した実施の形態１及び実施の形態２で示されたいずれかの方法によって得られた印刷模様３と同様である。
【００８４】
次に本実施の形態３に示される印刷物の発給装置について説明する。
【００８５】
本実施の形態３における印刷物の発給装置は、図２０の組織図に示されるように、可視情報入力手段Ｍ１、第１の不可視情報入力手段Ｍ２、第２の不可視情報入力手段Ｍ３、印刷手段Ｍ４、表示手段Ｍ５、編集手段Ｍ６、書式データベースＭ７及び通信インターフェースＭ８を備えている。
【００８６】
可視情報入力手段Ｍ１は、カメラ、デジタルカメラ、スキャナ等、特に限定されるものではない。また、書式データベースＭ７又は通信インターフェースＭ８によって、あらかじめ個人情報等が入力されたデータベースサーバから画像、テキスト又はカード台紙模様９等の可視情報を得ることができる。
【００８７】
第１の不可視情報入力手段Ｍ２は、キーボード等からの入力、また、後述する書式データベースＭ７と同じパソコン内に登録されている画像又はテキストの不可視情報が入力されたデータベース及び通信インターフェースＭ８によって、あらかじめ不可視情報が入力された外部のデータベースサーバから不可視情報を得ることができる。
【００８８】
第２の不可視情報入力手段Ｍ３は、キーボード等からの入力、後述する書式データベースＭ７と同じパソコン内に登録されている画像又はテキストの不可視情報が入力されたデータベース、通信インターフェースＭ８によって、あらかじめ不可視情報が入力された外部のデータベースサーバ又は可視情報入力手段Ｍ１から入力された可視画像情報のコピーから不可視情報を得ることができる。
【００８９】
印刷手段Ｍ４は、インクジェットプリンタ、レーザプリンタ等、特に限定されるものではない。
【００９０】
表示手段Ｍ５は、パソコンのモニタ、専用のモニタ等、特に限定されるものではない。
【００９１】
編集手段Ｍ６は、可視画像構成手段Ｍ６ａ、第１の不可視画像構成手段Ｍ６ｂ、第２の不可視画像構成手段Ｍ６ｃ及び画像合成手段Ｍ６ｄを有する。可視画像構成手段Ｍ６ａは、可視情報入力手段Ｍ１で得られた画像を所定の画線データに変換し、第１の不可視画像構成手段Ｍ６ｂは、第１の不可視情報入力手段Ｍ２で得られた画像を所定の画線データに変換し、第２の不可視画像構成手段Ｍ６ｃは、第２の不可視情報入力手段Ｍ３で得られた画像を所定の画線データに変換し、画像合成手段Ｍ６ｄは、可視画像構成手段Ｍ６ａで得られた画線データと、第１の不可視画像構成手段Ｍ６ｂで得られた画線データと、第２の不可視画像構成手段Ｍ６ｃで得られた画線データとを合成する。
【００９２】
書式データベースＭ７は、可視情報入力手段Ｍ１、第１の不可視情報入力手段Ｍ２、第２の不可視情報入力手段Ｍ３以外の印刷に必要なデータが格納されている。
【００９３】
通信インターフェースＭ８は、ＲＳ−２３２Ｃ、ＩＥＥＥ１３９４等、特に限定されるものではない。
【００９４】
図２１は、身分証明書の印刷物８が発給されるまでの流れが示された説明図である。図２１に示されたように、例えば、身分証明書の発行を希望する人が、可視画像入力手段Ｍ１として、例えば、デジタルカメラによって顔写真画像１２のデータを得る。併せて、カード台紙模様９を書式データベースＭ７から得る。
【００９５】
次に、別途用意された不可視情報１３を、例えば、氏名とし、不可視情報１４を、例えば、発行日付等のタイムスタンプ情報とし、第１の不可視情報入力手段Ｍ２を、例えば、キーボードからの入力又は通信インターフェースＭ８からの通信情報にて得る。
【００９６】
次に、第１の不可視情報入力手段Ｍ２として、例えば、キーボードからの入力又は通信インターフェースＭ８からの通信情報にて得る。次に、第２の不可視情報入力手段Ｍ３として、例えば、キーボードからの入力、通信インターフェースＭ８からの通信情報又は可視画像入力手段Ｍ１から入力された可視画像情報のコピーを得る。本実施の形態３では、可視画像入力手段Ｍ１で得られた顔写真画像１２のコピーが第２の不可視情報入力手段Ｍ３にて入力され第２の不可視情報としている。
【００９７】
次に、顔写真画像１２のデータと、不可視情報１３のデータと、顔写真画像１２のコピーから得た不可視情報１４と、書式データベースＭ７から得られたカード台紙模様９とが一緒に編集手段Ｍ６として、例えば、ノートＰＣへ送られる。編集手段Ｍ６では、カード台紙模様９のデータに不可視情報１３のデータ及び不可視情報１４のデータの埋め込みが行われる。そして、印刷手段Ｍ４を、例えば、プリンタで不可視情報１３及び不可視情報１４がカード台紙模様９に埋め込まれた不可視画像部１１が印刷される。
【００９８】
表示手段Ｍ５は、印刷物の発給に関わる処理について必要に応じて表示する。また、顔写真画像１２のデータ、不可視情報１３のデータ、不可視情報１４のデータ及びカード台紙模様９のデータは、通信インターフェースＭ８を介して、他のコンピュータ端末から通信によって得ても良い。なお、図２１に示される機械器具は何ら限定するものではない。
【００９９】
次に、本実施の形態３の方法について説明する。図２２は、身分証明書の印刷物８を発給する方法の基本的なフローを示したものである。
【０１００】
まず、ステップｆ１では、可視情報入力手段Ｍ１にて顔写真画像１２のデータを得る。入力されるのはビットマップ多値画像であり、画素数等に何ら制限はないが、本実施の形態３では、１６００×１２００ピクセルのＲＧＢ画像とした。次に、ステップｆ２にて、書式データベースＭ７から得られたカード台紙模様９をもとに、図４に示された画線Ｃのデータの領域に配置される不可視画像が構築される。画線Ｃのデータへの変換は、図２０に示された、編集手段Ｍ６に含まれる可視画像構成手段Ｍ６ａによって行われる。
【０１０１】
また、ステップｆ３では、第１の不可視情報入力手段Ｍ２にて不可視情報１３のデータを得る。入力できる情報は、画像であってもテキストであっても良い。テキストにて不可視情報のデータを得る場合、編集手段Ｍ６にてビットマップ２値画像に変換される。このとき、上記ビットマップ多値画像と同じ画素数にて構成する。次に、ステップｆ４にて、図４に示された画線Ａ１、画線Ａ１’の領域に配置される第１の不可視画像が構築される。画線Ａ１のデータ及び画線Ａ１’のデータへの変換は、図２０に示された、編集手段Ｍ６に含まれる不可視画像構成手段Ｍ６ｂによって行われる。
【０１０２】
また、ステップｆ５では、第２の不可視情報入力手段Ｍ３にて不可視情報１４のデータを得る。入力できる情報は、画像であってもテキストであっても良い。テキストにて不可視情報のデータを得る場合、編集手段Ｍ６にてビットマップ２値画像に変換される。このとき、上記ビットマップ多値画像と同じ画素数にて構成する。次に、ステップｆ６にて、図４に示された画線Ａ２、画線Ａ２’の領域に配置される第１の不可視画像が構築される。画線Ａ２のデータ及び画線Ａ２’のデータへの変換は、図２０に示された、編集手段Ｍ６に含まれる不可視画像構成手段Ｍ６ｃによって行われる。
【０１０３】
次に、ステップｆ７の処理により、ステップｆ１〜ｆ６で得られた画線Ｃ、画線Ａ１、画線Ａ１’、画線Ａ２及び画線Ａ２’と、図５に示されたアルゴリズムに従って、濃度の不均衡を緩和させるための画線Ｅ１、画線ａ１、画線Ｅ２及び画線ａ２の書き出しが行われる。
【０１０４】
さらに、ステップｆ８の処理により、画像合成手段Ｍ６ｄにて不可視画像部１１に合成され、書式データベースＭ７から得たカード台紙模様９のデータにおけるレイアウトに配置され、最後にステップｆ９の処理により、印刷手段Ｍ４によって、赤外線吸収色素を含む色材を用いて画線Ａ１、画線Ａ１’画線Ｅ１及び画線ａ１が印刷され、赤外線吸収色素を含まない色材を用いて画線Ａ２、画線Ａ２’、画線Ｅ２、画線ａ２及び画線Ｃが印刷される。また、顔写真画像部１及び書式データベースＭ７から得たカード台紙模様９のその他の模様においては、赤外線吸収色素を含まない色材を用いて印刷される。
【０１０５】
図２３は、身分証明書の印刷物８において第１の判別具２及び第２の判別具４を用いて真偽判別を行っている状態が示されたものである。これにより、不可視画像部１１を第１の判別具を用いた場合には、第１の不可視画像が可視画像となって視認でき、不可視画像部１１を第２の判別具を用いた際には、第２の不可視画像が可視画像となって視認できる。図２３（ａ）は、レンチキュラーレンズによる第１の判別具２を、身分証明書型の印刷物８の不可視画像部１１に重ねた状態を示したものである。第１の判別具２によって不可視情報１３のタイムスタンプ情報が現れている。一方、図２３（ｂ）は、赤外線視するカメラ（または光学式スキャナ）を搭載した画像入力・表示装置による第２の判別具を用い、身分証明書型の印刷物８の不可視画像部１１を赤外線視したものである。第２の判別具４によって不可視情報１４として施してあった顔写真画像１２が可視画像となって確認できる。本実施の形態３では、顔写真画像１２は顔写真画像部１０に示された顔写真と同じであることを確認している。すなわち、カードの偽造防止の運用例としては、第２の判別具４において、不可視画像部１１に埋め込まれていた不可視情報１４が顔写真画像部１０に示された顔写真画像１２との一致を目視で確認することにより、身分証明書型の印刷物８の持ち主が本人であることが証明される。また、第１の判別具２において、不可視画像部１１に埋め込まれていた不可視情報１３が発行日時のタイムスタンプ情報と一致を目視で確認することにより、身分証明書型の印刷物８が正しい日時を有する真性なものであることが証明される。
【符号の説明】
【０１０６】
１            印刷物
２            第１の判別具
３            印刷模様
４            第２の判別具
５            不可視画像
６            不可視画像
７            中心線
８            印刷物
９            カード台紙模様
１０            顔写真画像部
１１            不可視画像部
１２            顔写真画像
１３            不可視情報
１４            不可視情報
Ａ１            画線
ａ１            画線
Ｂ１            画線
ｂ１            画線
Ｃ            画線
Ｄ            画線
Ｅ１            画線
Ｅ２            画線
Ｌ１            線
Ｌ２            線
Ｌ３            線
Ｌ４            線
Ｍ１            可視情報入力手段
Ｍ２            不可視情報入力手段
Ｍ３            不可視情報入力手段
Ｍ４            印刷手段
Ｍ５            表示手段
Ｍ６            編集手段
Ｍ６ａ            可視画像構成手段
Ｍ６ｂ            不可視画像構成手段
Ｍ６ｃ            不可視画像構成手段
Ｍ６ｄ            画像合成手段
Ｍ７            書式データベース
Ｍ８            通信インターフェース
Ｓｈ            寸法
Ｓｖ            寸法
【図１】
0005709132.tif 000002
【図２】
0005709132.tif 000003
【図３】
0005709132.tif 000004
【図４】
0005709132.tif 000005
【図５】
0005709132.tif 000006
【図６】
0005709132.tif 000007
【図７】
0005709132.tif 000008
【図８】
0005709132.tif 000009
【図９】
0005709132.tif 000010
【図１０】
0005709132.tif 000011
【図１１】
0005709132.tif 000012
【図１２】
0005709132.tif 000013
【図１３】
0005709132.tif 000014
【図１４】
0005709132.tif 000015
【図１５】
0005709132.tif 000016
【図１６】
0005709132.tif 000017
【図１７】
0005709132.tif 000018
【図１８】
0005709132.tif 000019
【図１９】
0005709132.tif 000020
【図２０】
0005709132.tif 000021
【図２１】
0005709132.tif 000022
【図２２】
0005709132.tif 000023
【図２３】
0005709132.tif 000024